(57)【要約】購入したライセンスの種類に応じて、コンテンツ内で最初に起動されるリソースを変化させ、１つのコンテンツに対して複数の視聴形態を可能とするコンテンツ起動制御装置を提供する。  コンテンツ起動制御装置１００のコンテンツ起動指示受信部２０１は、コンテンツの起動指示を受信し、ライセンス情報確認部２１１に前記コンテンツのコンテンツＩＤを送り、ライセンス情報確認部２１１は、ライセンス情報格納部２２１から取得したライセンス情報と、コンテンツ起動指示受信部２０１から取得したコンテンツＩＤとを用いて、ライセンスが購入済みであるか否かの情報を取得し、起動リソース選択部２１２は、起動リソース情報を用いてライセンスに対応したコンテンツの起動リソースを選択し、リソース起動部２１３は、起動リソース選択部２１２により選択されたリソースを起動する。【特許請求の範囲】
【請求項１】
コンテンツの起動を制御するコンテンツ起動制御装置であって、
コンテンツの起動指示を受信するコンテンツ起動指示受信手段と、
コンテンツのライセンス情報を記憶するライセンス情報格納手段と、
前記コンテンツ起動指示受信手段において起動指示を受けた場合には、前記ライセンス情報に基づいて、当該コンテンツに対応する複数のライセンスから購入済みであるライセンスを取得するライセンス情報確認手段と、
前記ライセンス毎に対応する起動リソースを示す起動リソース情報を格納する起動リソース情報格納手段と、
前記起動リソース情報に基づいて、前記ライセンス情報確認手段において購入済みと確認されたライセンスに対応する起動リソースを選択する起動リソース選択手段と、
前記起動リソース選択手段により選択された起動リソースを起動するリソース起動手段とを備える
ことを特徴とするコンテンツ起動制御装置。
【請求項２】
前記ライセンス情報には、コンテンツＩＤと、当該コンテンツＩＤに対応するコンテンツに用いる複数のライセンスＩＤと、当該ライセンスＩＤ毎の購入有無情報との関係が含まれ、
前記起動リソース情報には、コンテンツＩＤと、当該コンテンツＩＤに対応するコンテンツに用いる複数のライセンスＩＤと、当該ライセンスＩＤに対する起動リソースとの関係が含まれ、
前記ライセンス情報確認手段は、前記ライセンス情報に基づいて、起動指示を受けたコンテンツのコンテンツＩＤに対応する複数のライセンスＩＤから購入済みのライセンスのライセンスＩＤを取得し、
前記起動リソース選択手段は、前記起動リソース情報に基づいて、当該ライセンスＩＤに対応する起動リソースを選択する
ことを特徴とする請求項１記載のコンテンツ起動制御装置。
【請求項３】
前記ライセンス情報又は前記起動リソース情報における前記ライセンスＩＤと前記コンテンツＩＤとの関係は、１対多又は多対１となる
ことを特徴とする請求項２記載のコンテンツ起動制御装置。
【請求項４】
前記ライセンス情報確認手段は、購入済みのライセンスが複数ある場合には、予め設定された条件に基づいて前記ライセンスＩＤを取得する
ことを特徴とする請求項２記載のコンテンツ起動制御装置。
【請求項５】
前記コンテンツ起動指示受信手段は、第二の装置からコンテンツの起動指示を受信し、
前記ライセンス情報確認手段は、前記ライセンス情報を用いて、前記第二の装置から起動指示を受けたコンテンツに対応するライセンスが購入済みであるか否かの情報を取得し、
前記起動リソース選択手段は、前記起動リソース情報を用いて、前記ライセンス情報確認手段において購入済みと確認された場合には前記ライセンスに対応する起動リソースを選択し、
前記リソース起動手段は、少なくとも前記起動リソース選択手段において選択された起動リソースを前記第二の装置に送信する
ことを特徴とする請求項１記載のコンテンツ起動制御装置。
【請求項６】
前記リソース起動手段は、更に、前記起動リソースと共に購入済みの前記ライセンスを前記第２の装置に送信する
ことを特徴とする請求項５記載のコンテンツ起動制御装置。
【請求項７】
前記起動リソース情報には、更に、前記起動リソース毎に設定される鍵情報が含まれ、
前記コンテンツ起動制御装置は、更に、
前記ライセンスを格納するライセンス格納手段と、
前記起動リソース情報を用いて、前記ライセンス情報確認手段が取得した購入済みのライセンスの一部または全部のデータを前記ライセンス格納手段から取得して前記起動リソースを復号化するための鍵を抽出する鍵抽出手段と、
前記鍵抽出手段において抽出した鍵を用いて前記起動リソースを復号化する復号化手段とを備える
ことを特徴とする請求項２記載のコンテンツ起動制御装置。
【請求項８】
前記コンテンツ起動制御装置は、更に、
前記ライセンス情報確認手段において起動指示されたコンテンツに対応するライセンスが未購入と確認される場合には、前記ライセンスの購入を促すための画面を表示する表示手段を備える
ことを特徴とする請求項１記載のコンテンツ起動制御装置。
【請求項９】
前記起動リソース情報には、更に、前記ライセンス情報確認手段において起動指示されたコンテンツに対応する複数のライセンスが全て未購入と確認される場合に起動されるデフォルト起動リソースが含まれ、
前記起動リソース選択手段は、前記ライセンス情報確認手段において起動指示されたコンテンツに対応する複数のライセンスが全て未購入と確認される場合に前記デフォルト起動リソースを選択する
ことを特徴とする請求項２記載のコンテンツ起動制御装置。
【請求項１０】
前記起動リソース情報には、更に、前記デフォルト起動リソースの有無の情報が含まれ、
前記コンテンツ起動制御装置は、更に、
ライセンス未購入の場合において、当該情報に基づき、前記デフォルト起動リソースが有る場合にのみ、前記起動リソース情報を含むコンテンツを再生可能コンテンツ一覧に表示可能と判定する判定手段を備える
ことを特徴とする請求項９記載のコンテンツ起動制御装置。
【請求項１１】
前記起動リソース選択手段は、前記起動リソース情報において、前記ライセンス情報確認手段において確認されるライセンスＩＤに対応する起動リソースが存在しない場合には、あらかじめ設定されたリソースを選択する
ことを特徴とする請求項１記載のコンテンツ起動制御装置。
【請求項１２】
前記ライセンス情報のうち購入有無情報以外の情報、及び前記起動リソース情報の少なくとも一方はネットワークを介して取得するコンテンツに記述されている
ことを特徴とする請求項２記載のコンテンツ起動制御装置。
【請求項１３】
コンテンツの起動を制御するコンテンツ起動制御装置に用いるコンテンツ起動制御方法であって、
コンテンツの起動指示を受信するコンテンツ起動指示受信ステップと、
コンテンツのライセンス情報を記憶するライセンス情報格納ステップと、
前記コンテンツ起動指示受信ステップにおいて起動指示を受けた場合には、前記ライセンス情報に基づいて、当該コンテンツに対応する複数のライセンスから購入済みであるライセンスを取得するライセンス情報確認ステップと、
前記ライセンス毎に対応する起動リソースを示す起動リソース情報を格納する起動リソース情報格納ステップと、
前記起動リソース情報に基づいて、前記ライセンス情報確認ステップにおいて購入済みと確認されたライセンスに対応する起動リソースを選択する起動リソース選択ステップと、
前記起動リソース選択ステップにおいて選択された起動リソースを起動するリソース起動ステップとを含む
ことを特徴とするコンテンツ起動制御方法。
【請求項１４】
前記ライセンス情報には、コンテンツＩＤと、当該コンテンツＩＤに対応するコンテンツに用いる複数のライセンスＩＤと、当該ライセンスＩＤ毎の購入有無情報との関係が含まれ、
前記起動リソース情報には、コンテンツＩＤと、当該コンテンツＩＤに対応するコンテンツに用いる複数のライセンスＩＤと、当該ライセンスＩＤに対する起動リソースとの関係が含まれ、
前記ライセンス情報確認ステップにおいては、前記ライセンス情報に基づいて、起動指示を受けたコンテンツのコンテンツＩＤに対応する複数のライセンスＩＤから購入済みのライセンスのライセンスＩＤを取得し、
前記起動リソース選択ステップにおいては、前記起動リソース情報に基づいて、当該ライセンスＩＤに対応する起動リソースを選択する
ことを特徴とする請求項１３記載のコンテンツ起動制御方法。
【請求項１５】
コンテンツの起動を制御するコンテンツ起動制御装置に用いるプログラムであって、
コンテンツの起動指示を受信するコンテンツ起動指示受信ステップと、
コンテンツのライセンス情報を記憶するライセンス情報格納ステップと、
前記コンテンツ起動指示受信ステップにおいて起動指示を受けた場合には、前記ライセンス情報に基づいて、当該コンテンツに対応する複数のライセンスから購入済みであるライセンスを取得するライセンス情報確認ステップと、
前記ライセンス毎に対応する起動リソースを示す起動リソース情報を格納する起動リソース情報格納ステップと、
前記起動リソース情報に基づいて、前記ライセンス情報確認ステップにおいて購入済みと確認されたライセンスに対応する起動リソースを選択する起動リソース選択ステップと、
前記起動リソース選択ステップにおいて選択された起動リソースを起動するリソース起動ステップとを含む
ことを特徴とするプログラム。
【請求項１６】
前記ライセンス情報には、コンテンツＩＤと、当該コンテンツＩＤに対応するコンテンツに用いる複数のライセンスＩＤと、当該ライセンスＩＤ毎の購入有無情報との関係が含まれ、
前記起動リソース情報には、コンテンツＩＤと、当該コンテンツＩＤに対応するコンテンツに用いる複数のライセンスＩＤと、当該ライセンスＩＤに対する起動リソースとの関係が含まれ、
前記ライセンス情報確認ステップにおいては、前記ライセンス情報に基づいて、起動指示を受けたコンテンツのコンテンツＩＤに対応する複数のライセンスＩＤから購入済みのライセンスのライセンスＩＤを取得し、
前記起動リソース選択ステップにおいては、前記起動リソース情報に基づいて、当該ライセンスＩＤに対応する起動リソースを選択する
ことを特徴とする請求項１５記載のプログラム。
【請求項１７】
請求項１５又は１６に記載のプログラムを記録した記録媒体。
【請求項１８】
コンテンツの起動を制御するコンテンツ起動制御装置に用いる集積回路であって、
コンテンツの起動指示を受信するコンテンツ起動指示受信手段と、
前記コンテンツ起動指示受信手段において起動指示を受けた場合には、コンテンツのライセンス情報に基づいて、当該コンテンツに対応する複数のライセンスから購入済みであるライセンスを取得するライセンス情報確認手段と、
前記ライセンス毎に対応する起動リソースを示す起動リソース情報に基づいて、前記ライセンス情報確認手段において購入済みと確認されたライセンスに対応する起動リソースを選択する起動リソース選択手段と、
前記起動リソース選択手段により選択された起動リソースを起動するリソース起動手段とを備える
ことを特徴とする集積回路。
【発明の詳細な説明】
【技術分野】
【０００１】  本発明は、ライセンスを管理してデジタル放送、インターネットなどで配信されるコンテンツの再生時の起動を制御するコンテンツ起動制御装置に関し、特にライセンスの種類に応じてコンテンツの再生制御を行うコンテンツ起動制御装置に関する。
【背景技術】
【０００２】  近年、放送・通信等のネットワークの発達に伴い、映像・音楽・ゲーム等のコンテンツを、これらのネットワークを通じて取得する端末が登場した。例えば、ＢＳ（Ｂｒｏａｄｃａｓｔ  Ｓａｔｅｌｌｉｔｅ）デジタル放送や、ＣＳ（Ｃｏｍｍｕｎｉｃａｔｉｏｎ  Ｓａｔｅｌｌｉｔｅ）デジタル放送では、ＭＰＥＧ２規格により映像や音声がデジタル化されて配信されており、地上デジタル放送においても同規格で映像や音声を含むＡＶデータが配信されている。【０００３】  そして、これらの放送・通信等のネットワークによる配信において、コンテンツの著作権を保護するため、取得したコンテンツを不正に利用できないようにする必要があり、従来から、コンテンツを復号できる鍵とコンテンツの利用条件を組にしたデータであるライセンスを用いてユーザのコンテンツの利用を制限する方法が用いられている。【０００４】  また、例えば、コンテンツに、コンテンツのサンプルデータと、課金情報と、コンテンツを識別するユニークＩＤと、コンテンツ本体のネットワーク上における所在を識別する所在ＩＤとが含まれ、コンテンツを取得し、課金処理後、前記コンテンツ本体をダウンロードまたは再生する際に、サイズ・解像度、出力方法等に応じた課金を行う方法が開示されている（例えば、特許文献１参照）。【０００５】  そして、図１７は、従来の技術におけるコンテンツ１７０１の再生時の説明図である。図１７に示すコンテンツ１７０１では、３つのリソースから構成されており、各リソースのヘッダには各リソースを再生するために必要なライセンスのＩＤ等のＤＲＭ（Ｄｉｇｉｔａｌ  Ｒｉｇｈｔｓ  Ｍａｎａｇｅｍｅｎｔ）情報が記載されている。各リソースはヘッダに記載されたＤＲＭ情報を用いてライセンスの取得・確認を行うことができる。【０００６】  ここで、リソースとは、ＭＰＥＧ２規格の映像・音声やＪＰＥＧ規格の画像やＢＭＬ（Ｂｒｏａｄｃａｓｔ  Ｍａｒｋｕｐ  Ｌａｎｇｕａｇｅ）など、当該装置または他の装置において再生可能な最小単位のデータである。コンテンツは１つのリソースにより構成されていても良いし、複数のリソースにより構成されていても良い。【０００７】  また、図１８に従来の技術におけるコンテンツ１８０１の再生時の説明図である。図１８に示すコンテンツ１８０１は、１つの起動リソース情報と３つのリソースから構成されている。各リソースを再生するために必要なライセンスのＩＤ等のＤＲＭ情報は起動リソース情報に記録されており、コンテンツ１８０１におけるすべてのリソースは起動リソース情報に記録されたＤＲＭ情報を用いてライセンスの取得・ライセンスの確認を行うことができる。
【特許文献１】国際公開第ＷＯ２００２／０５６２２０号パンフレット
【発明の開示】
【発明が解決しようとする課題】
【０００８】  しかしながら、特許文献１に示す方法では、コンテンツが、再生可能な複数のリソースから構成される場合においての再生方法が開示されていない。【０００９】  また、図１７に示すコンテンツ１７０１を再生装置で再生する場合は、１つのリソースを起動する毎にヘッダに記載されているＤＲＭ情報を読み出しライセンスの取得等の処理を行うことが必要であるため、多数のリソースを有するコンテンツを再生する場合の再生装置の処理の負荷が高くなるという課題を有している。【００１０】  また、図１８に示すコンテンツ１８０１を再生装置で再生する場合は、起動リソース情報に記録されているＤＲＭ情報を用いてライセンスを取得し、そのライセンスを用いてコンテンツ内の他のリソースの起動を行うことが可能なため、図１７に示すコンテンツ１７０１の再生において発生するような課題は存在しない。しかしながら、起動リソース情報を固定しているため、コンテンツ内で最初に起動されるリソース（図１８においてはリソース２）をユーザの視聴形態に応じて変化させることが出来ないという課題を有している。【００１１】  そして、上記の課題を解決するために、複数のコンテンツがリソースを共有する構造を用いることが考えられる。【００１２】  図１９は、複数のコンテンツがリソースを共有する場合のコンテンツ１９０１の再生時の説明図である。本図において、コンテンツ１９０１とコンテンツ１９０２とでリソースを共有しており、コンテンツ１９０２がリソース１、リソース２、及びリソース３の実体を保持しており、コンテンツ１９０１には起動リソース情報のみが記述され、この起動リソース情報はコンテンツ１９０２のリソース１を参照している。このような構造の複数のコンテンツの場合、ユーザは再生するコンテンツを選択（図１９においては、コンテンツ１９０１と１９０２を選択）することにより、好みの視聴形態で再生を行うことが可能となる。【００１３】  しかしながら、この方法においては、コンテンツ内だけでなく異なるコンテンツ間においてリソースの参照関係が存在するため、起動リソース情報にて参照される参照先のリソースが、参照元のコンテンツの構成として正しいリソースであると常に保証することが出来ず、特に、ライセンスを有料で販売してコンテンツを提供するようなコンテンツの形態としては不適当となる。【００１４】  本発明は、前記の全ての課題を解決するもので、コンテンツ内で最初に起動される起動リソースを変化させて、１つのコンテンツに対して、購入したライセンスの種類に応じて複数の視聴形態を提供することが可能なコンテンツ起動制御装置を提供することを目的とする。【００１５】  また、１つのコンテンツに対して、新たな視聴形態の追加が容易に可能なコンテンツ起動制御装置を提供することを目的とする。【００１６】  更に、コンテンツの視聴形態の追加する際においても、新たにコンテンツの蓄積を必要としないコンテンツ起動制御装置を提供することをも目的とする。
【課題を解決するための手段】
【００１７】  前記従来の課題を解決するために、本発明のコンテンツ起動制御装置は、コンテンツの起動を制御するコンテンツ起動制御装置であって、コンテンツの起動指示を受信するコンテンツ起動指示受信手段と、コンテンツのライセンス情報を記憶するライセンス情報格納手段と、前記コンテンツ起動指示受信手段において起動指示を受けた場合には、前記ライセンス情報に基づいて、当該コンテンツに対応する複数のライセンスから購入済みであるライセンスを取得するライセンス情報確認手段と、前記ライセンス毎に対応する起動リソースを示す起動リソース情報を格納する起動リソース情報格納手段と、前記起動リソース情報に基づいて、前記ライセンス情報確認手段において購入済みと確認されたライセンスに対応する起動リソースを選択する起動リソース選択手段と、前記起動リソース選択手段により選択された起動リソースを起動するリソース起動手段とを備えることを特徴とする。【００１８】  本構成によって、ライセンス情報確認手段は、購入済みのライセンスを取得して、起動リソース選択手段において、このライセンスに対応する起動リソースを選択するため、リソース起動手段で購入済みライセンスに対応したコンテンツの起動リソースを、コンテンツを構成する複数のリソースの中から選択して起動することが可能となる。【００１９】  また、本発明に係るコンテンツ起動制御装置において、前記ライセンス情報には、コンテンツＩＤと、当該コンテンツＩＤに対応するコンテンツに用いる複数のライセンスＩＤと、当該ライセンスＩＤ毎の購入有無情報との関係が含まれ、前記起動リソース情報には、コンテンツＩＤと、当該コンテンツＩＤに対応するコンテンツに用いる複数のライセンスＩＤと、当該ライセンスＩＤに対する起動リソースとの関係が含まれ、前記ライセンス情報確認手段は、前記ライセンス情報に基づいて、起動指示を受けたコンテンツのコンテンツＩＤに対応する複数のライセンスＩＤから購入済みのライセンスのライセンスＩＤを取得し、前記起動リソース選択手段は、前記起動リソース情報に基づいて、当該ライセンスＩＤに対応する起動リソースを選択することを特徴とする。【００２０】  この構成により、ライセンス情報には、１つのコンテンツＩＤに対応する複数の種類の異なるライセンスＩＤを設定して、起動リソース情報を用いて、各ライセンスＩＤ毎に起動対象となるコンテンツのリソースを設定するため、本発明に係るコンテンツ起動制御装置を用いることにより、ユーザのライセンス購入の状況に応じて１つのコンテンツに基づく様々な視聴形態を提供することが可能となる。【００２１】  また、本発明に係るコンテンツ起動制御装置において、前記コンテンツ起動指示受信手段は、第二の装置からコンテンツの起動指示を受信し、前記ライセンス情報確認手段は、前記ライセンス情報を用いて、前記第二の装置から起動指示を受けたコンテンツに対応するライセンスが購入済みであるか否かの情報を取得し、前記起動リソース選択手段は、前記起動リソース情報を用いて、前記ライセンス情報確認手段において購入済みと確認された場合には前記ライセンスに対応する起動リソースを選択し、前記リソース起動手段は、少なくとも前記起動リソ��ス選択手段において選択された起動リソースを前記第二の装置に送信することを特徴とする。【００２２】  この構成により、第二の装置をホームサーバと、コンテンツ起動制御装置側をテレビとした場合に、テレビ側からコンテンツＩＤを指定することで、ホームサーバに記録蓄積されているコンテンツをユーザのライセンス購入の状況に応じてリソース情報としてテレビ側に送信することが可能となる。【００２３】  なお、前記目的を達成するために、本発明は、前記コンテンツ起動制御装置の特徴的な構成手段をステップとするコンテンツ起動制御方法としたり、それらのステップを全て含むプログラムとして実現することもできる。そして、そのプログラムは、コンテンツ起動制御装置が備えるＲＯＭ等に格納しておくだけでなく、ＣＤ−ＲＯＭ等の記録媒体や通信ネットワークを介して流通させることもできる。
【発明の効果】
【００２４】  本発明に係るコンテンツ起動制御装置は、ユーザに対して同一コンテンツの複数の視聴形態を、より手軽に提供できる。また、１つのライセンスに対して１つのコンテンツが必要な場合と比較してコンテンツの蓄積容量が削減できる。更に、ユーザがライセンスの差額をコンテンツ提供者に払うことにより、同一コンテンツの異なる視聴形態が可能なライセンスに容易にバージョンアップできるサービスが可能となる。
【図面の簡単な説明】
【００２５】
【図１】図１は、実施の形態１におけるコンテンツ起動制御装置の機能ブロック図
【図２】図２は、ライセンス情報格納部に格納されているライセンス情報が記載されたテーブルの例を示す参考図
【図３】図３は、起動リソース情報格納部に格納されている起動リソース情報が記載されたテーブルの例を示す参考図
【図４】図４は、ライセンス情報格納部に格納されているライセンス情報が記載されたテーブルの例を示す参考図
【図５】図５は、起動リソース情報格納部に格納されている起動リソース情報が記載されたテーブルの例を示す参考図
【図６】図６は、図１のコンテンツ起動制御装置においてコンテンツ起動処理の開始から終了までの動作手順を示すフローチャート
【図７】図７は、ユーザにライセンスの購入を促すための表示画面の参考図
【図８】図８は、実施の形態１に係るコンテンツ起動制御装置における再生されるコンテンツの参考図
【図９】図９は、実施の形態１に係るコンテンツ起動制御装置のコンテンツ起動指示時に参照される起動リソース情報のデータ記述例を示す参考図
【図１０】図１０は、実施の形態１に係るコンテンツ起動制御装置における画面表示の遷移の例を示す参考図
【図１１】図１１は、本発明のコンテンツ起動制御装置と他の機器との接続例を示す参考図
【図１２】図１２は、本発明のコンテンツ起動制御装置と他の機器との接続例を示す参考図
【図１３】図１３は、本発明のコンテンツ起動制御装置を実施可能なハードウェア構成の例を示す参考図
【図１４】図１４は、実施の形態２に係るコンテンツ起動制御装置の機能ブロック図
【図１５】図１５は、実施の形態２に係るコンテンツ起動制御装置において再生されるコンテンツの一例の参考図
【図１６】図１６は、ＬＳＩを用いて本発明に係るコンテンツ起動制御装置を実現する場合の参考図
【図１７】図１７は、従来の技術におけるコンテンツの再生時の説明図
【図１８】図１８は、従来の技術におけるコンテンツの再生時の説明図
【図１９】図１９は、複数のコンテンツがリソースを共有する場合のコンテンツの再生時の説明図
【符号の説明】
【００２６】  １００，１４００，１６００  コンテンツ起動制御装置
２０１  コンテンツ起動指示受信部
２１１  ライセンス情報確認部
２１２  起動リソース選択部
２１３  リソース起動部
２２１  ライセンス情報格納部
２２２  起動リソース情報格納部
２２３  コンテンツ格納部
２３１  リソース提示部
１１０１  リモコン
１１０２  コンテンツ起動制御装置
１１０３  ディスプレイ
１１０４  インターネット
１２１１  携帯端末
１２１２  ホームサーバ
１２１３  コンテンツ起動制御装置
１２１４  ＴＶ
１２１５  アンテナ
１４０１  ネットワーク
１４０２  受信部
１４０３  ライセンス格納部
１４０４  ＤＲＭクライアント
１４０５  復号化部
１６０１  ＬＳＩ
【発明を実施するための最良の形態】
【００２７】  以下、本発明の実施の形態について、図面を参照しながら説明する。【００２８】（実施の形態１）
図１は、本発明の実施の形態１におけるコンテンツ起動制御装置１００の機能ブロック図を示す。尚、本実施の形態１に係るコンテンツ起動制御装置１００は、１つのコンテンツに対して複数の種類の異なるライセンスを付与して、コンテンツ再生時にライセンスの購入有無情報を確認して、購入されたライセンスの種類に応じたコンテンツの起動リソースを選択することを特徴とする。【００２９】  図１において、コンテンツ起動指示受信部２０１は、ユーザの操作または他の装置により指定されたコンテンツの起動指示を受信する。ここで、コンテンツ起動指示受信部２０１は、コンテンツの起動指示におけるコンテンツ指定方法が、コンテンツを識別可能なコンテンツＩＤによるものでない場合には、指定されたコンテンツの情報を用いて、コンテンツＩＤを解決し、コンテンツＩＤをライセンス情報確認部２１１に渡し、また、コンテンツ起動指示におけるコンテンツ指定方法がコンテンツＩＤによるものである場合には、そのコンテンツＩＤをライセンス情報確認部２１１に渡す。【００３０】  ライセンス情報確認部２１１は、ライセンス情報格納部２２１に格納されているライセンス情報から、コンテンツ起動指示受信部２０１から取得したコンテンツＩＤに対応する購入済みライセンスを検索して、検索されたライセンスＩＤを起動リソース選択部２１２に渡す。【００３１】  図２は、ライセンス情報格納部２２１に格納されているライセンス情報が記載されたテーブル２００の例を示す参考図である。【００３２】  本図において、コンテンツＩＤ１００のコンテンツに対するライセンスは、ライセンスＩＤ１０００とライセンスＩＤ１００１の２つ存在し、ライセンスＩＤ１０００のライセンスは「未購入」であり、ライセンスＩＤ１００１のライセンスは「購入済み」であることを表している。【００３３】  また、コンテンツＩＤ２００のコンテンツに対するライセンスは、ライセンスＩＤ２０００とライセンスＩＤ２００１とライセンスＩＤ２００２の３つ存在し、ライセンスＩＤ２０００とライセンスＩＤ２００１のライセンスは「未購入」であり、ライセンスＩＤ２００２のライセンスは「購入済み」であることを表している。【００３４】  そして、ライセンス情報確認部２１１は、図２におけるライセンス情報からコンテンツＩＤ１００で検索すると、コンテンツＩＤ１００に対応する２つのライセンスＩＤの購入有無情報にアクセスし、ライセンスＩＤ１０００とライセンスＩＤ１００１の内、購入済みライセンスであるライセンスＩＤ１００１を検索する。このように、本実施の形態１に係るコンテンツ起動制御装置１００のライセンス情報確認部２１１は、コンテンツＩＤとライセンスＩＤが１対多であっても動作し、購入済みライセンスを検索することが可能である。【００３５】  起動リソース選択部２１２は、起動リソース情報格納部２２２に格納されている起動リソース情報から、コンテンツＩＤとライセンス情報確認部２１１から取得したライセンスＩＤとに対応する起動リソース名を検索する。【００３６】  図３は、起動リソース情報格納部２２２に格納されている起動リソース情報が記載されたテーブル３００の例を示す参考図である。【００３７】  このテーブル３００には、１列目にコンテンツＩＤを、２列目にライセンスＩＤを、３列目に１列目と２列目に対応するリソース名が記録されている。例えば、このテーブル３００の一行目は、コンテンツＩＤ１００・ライセンスＩＤ１０００のときの起動リソースは「ＡＶ１．ＴＴＳ」であることを示している。起動リソース選択部２１２は、図３における起動リソース情報例からコンテンツＩＤ１００・ライセンスＩＤ１００１で検索すると、リソース名「ｄｉｇｅｓｔ１．ｂｍｌ」を検索する。起動リソース選択部２１２は、検索されたリソース名をリソース起動部２１３に渡す。【００３８】  リソース起動部２１３は、起動リソース選択部２１２から取得したリソース名に対応するリソースをコンテンツ格納部２２３から取得し、リソース提示部２３１に渡す。【００３９】  リソース提示部２３１は、リソースを再生した結果、またはリソースを、他のソフトウェア、又はネットワークを介して接続された第２の装置、又は記録媒体に対して出力する。例えば、リソースが動画である「ＡＶ１．ＴＴＳ」であった場合、リソース提示部２３１が「ＡＶ１．ＴＴＳ」を再生した結果をディスプレイに出力することにより、ユーザは動画を鑑賞することができる。別の例では、リソース提示部２３１が「ＡＶ１．ＴＴＳ」をホームサーバに出力することにより、ホームサーバは「ＡＶ１．ＴＴＳ」をホームサーバが持つ記録媒体に蓄積することができる。【００４０】  次に、実サービスへの適用例について説明する。【００４１】  例えば、コンテンツＩＤ１００のコンテンツは、ＣＭ入りのＡＶデータであるリソース１、ＢＭＬ等で記述されたリソース２、及びＸＭＬ記述のセグメントメタデータであるリソース３から構成される。このセグメントメタデータは、ＡＶデータのうち、ＣＭを飛ばしながら再生するダイジェスト視聴を可能とするメタデータであるとする。【００４２】  そして、本発明のコンテンツ起動制御装置１００を利用することにより、ライセンス１０００を購入したユーザは、起動リソースがＣＭ入りのＡＶデータとなり、ＣＭを含むＡＶデータを先頭から順に再生することが可能となる。また、ライセンス１００１を購入したユーザは、起動リソースがＢＭＬで記述されたリソース２であり、このリソース２を再生するとリソース３のＸＭＬ記述のセグメントメタデータ記述に従って、ＣＭ入りのＡＶデータであるリソース１を参照しながらＣＭを飛ばしたＡＶデータの再生処理が可能となる。【００４３】  このように、本発明のコンテンツ起動制御装置１００をテレビ等のコンテンツ再生装置側に用いることにより、ユーザは嗜好に合った視聴が可能なライセンスを購入することが可能となり、また、コンテンツ事業者は、異なるライセンスの再生処理方法に応じて価格に差異を設けることにより、１つのコンテンツを異なる嗜好を持つユーザに受け入れてもらうことが可能となる。【００４４】  上記の図２及び図３とは異なるライセンス情報と起動リソース情報を用いた場合の例を図４のライセンス情報が記載されたテーブル４００、及び図５の起動リソース情報が記載されたテーブル５００を用いて説明する。【００４５】  コンテンツＩＤ３００のコンテンツは、コンテンツＩＤ１００と同一のＣＭ入りのＡ��データである「ＡＶ１．ＴＴＳ」と、コンテンツＩＤ２００と同一のＣＭ入りＡＶデータである「ＡＶ２．ＴＴＳ」と、ＡＶ１．ＴＴＳの本編のハイライトシーンだけを再生することを可能とする「ｄｉｇｅｓｔ３−１．ｂｍｌ」と、ＡＶ２．ＴＴＳの本編のハイライトシーンだけを再生することを可能とする「ｄｉｇｅｓｔ３−２．ｂｍｌ」とで構成されているとする。【００４６】  図４は、ライセンス情報格納部２２１に格納されているライセンス情報が記載されたテーブル４００の例を示す参考図である。【００４７】  コンテンツＩＤ１００のコンテンツに対するライセンスは、ライセンスＩＤ１０００とライセンスＩＤ１００１の２つ存在し、ライセンスＩＤ１０００のライセンスは「購入済み」であり、ライセンスＩＤ１００１のライセンスは「未購入」であることをこの情報例で表している。【００４８】  コンテンツＩＤ２００のコンテンツに関しては図２における説明と同一なので説明を省略する。【００４９】  コンテンツＩＤ３００のコンテンツに対するライセンスは、ライセンスＩＤ１０００とライセンスＩＤ２０００の２つ存在し、ライセンスＩＤ２０００のライセンスは「未購入」であり、ライセンスＩＤ１０００のライセンスは「購入済み」であることを表している。【００５０】  ライセンス情報確認部２１１は、図４におけるライセンス情報が記載されたテーブル４００からコンテンツＩＤ３００で検索すると、コンテンツＩＤ３００に対応する２つのライセンスＩＤの購入有無情報にアクセスし、ライセンスＩＤ１０００とライセンスＩＤ２０００の内、購入済みライセンスのＩＤであるライセンスＩＤ１０００を検索する。また、コンテンツＩＤ１００で検索すると、図２における説明と同様にライセンスＩＤ１０００が検索される。このように、本実施の形態１のコンテンツ起動制御装置１００のライセンス情報確認部２１１は、コンテンツＩＤとライセンスＩＤが多対１であっても動作し、購入済みライセンスを検索することが可能である。ライセンス情報確認部２１１は、検索されたライセンスＩＤを起動リソース選択部２１２に渡す。【００５１】  図５は、起動リソース情報格納部２２２に格納されている起動リソース情報が記載されたテーブル５００の例を示す参考図である。【００５２】  このテーブル５００の一行目は、コンテンツＩＤ１００・ライセンスＩＤ１０００のときの起動リソースは「ＡＶ１．ＴＴＳ」であることを示している。この情報の６行目は、コンテンツＩＤ３００・ライセンスＩＤ１０００のときの起動リソースは「ｄｉｇｅｓｔ３−１．ｂｍｌ」であることを示している。【００５３】  起動リソース選択部２１２は、ライセンスＩＤをライセンス情報確認部２１１から取得し、更にコンテンツＩＤをコンテンツ起動指示受信部２０１またはライセンス情報確認部２１１から取得する。起動リソース選択部２１２が図５における起動リソース情報が記載されたテーブル５００からコンテンツＩＤ１００・ライセンスＩＤ１０００で検索すると、リソース名「ＡＶ１．ＴＴＳ」が検索されることになる。また、コンテンツＩＤ３００・ライセンスＩＤ１０００で検索すると、リソース名「ｄｉｇｅｓｔ３−１．ｂｍｌ」が検索されることになる。起動リソ���ス選択部２１２は、検索されたリソース名をリソース起動部２１３に渡す。なお、本図に示していないが、ライセンスＩＤ１００に対する起動リソースを「ＡＶ１．ＴＴＳ」、ライセンスＩＤ２００に対する起動リソースを「ＡＶ１．ＴＴＳ」とする等、異なるライセンスＩＤに対して同一の起動リソースを対応づけることも可能である。【００５４】  このように、本実施の形態１に係るコンテンツ起動制御装置１００においては、コンテンツＩＤとリソース名が多対１に構成されているライセンス情報と起動リソース情報を利用することにより、複数コンテンツにおいて同一ライセンスを用いた再生が可能となる。従って、コンテンツ事業者は、既にコンテンツＩＤ１００のコンテンツに対するライセンスＩＤ１０００を購入したユーザ向けのサービスとして、既に存在するＡＶデータであるＡＶ１．ＴＴＳの新たな見方をすることを可能とするコンテンツＩＤ３００のコンテンツを提供することが可能となる。【００５５】  なお、本実施の形態１の説明においてはリソース名を文字列で表しているが、リソースを識別できる情報であれば、リソース名は文字列であっても数値であっても良い。【００５６】  また、ライセンス情報格納部２２１と起動リソース情報格納部２２２とコンテンツ格納部２２３がデータを取得する先は、同一の記録媒体の記憶領域でも、異なる記録媒体の記憶領域でもよい。また、それぞれの記憶領域は同一のファイルシステムが管理していても良いし、異なるファイルシステムが管理していても良い。【００５７】  ここで、記録媒体とは、ＲＡＭ・ＲＯＭ・ＦｌａｓｈＲＯＭ・ＥＥＰＲＯＭ・ハードディスク・メモリカード・ＩＣカード・光ディスク等、書き込み・読み込み可能な記録媒体でも、読込みのみ可能な記録媒体でも良い。また、コンテンツ起動制御装置内に固定されている記録媒体でも、コンテンツ起動制御装置から取り外し可能な記録媒体でも、コンテンツ起動制御装置の外部に存在し、コンテンツ起動制御装置からネットワーク経由で読み込み可能な記録媒体でも良い。【００５８】  なお、起動リソース選択部２１２は、ライセンス情報確認部２１１からコンテンツＩＤを取得しても良いし、コンテンツ起動指示受信部２０１からコンテンツＩＤを取得しても良い。また、リソース提示部２３１はリソース起動部２１３に含まれていても良い。【００５９】  図６は、図１のコンテンツ起動制御装置１００においてコンテンツ起動処理の開始から終了までの動作手順を示すフローチャートである。【００６０】  最初に、コンテンツ起動制御装置１００のコンテンツ起動指示部２０１がコンテンツの起動指示を受信する（Ｓ６０１）。【００６１】  次に、ライセンス情報確認部２１１は、コンテンツ起動指示部２０１から起動指示を受けたコンテンツのコンテンツＩＤを受信し、ライセンス情報格納部２２１に記録されているライセンス情報を取得する（Ｓ６０２）。【００６２】  そして、ライセンス情報確認部２１１がライセンス情報から受信したコンテンツＩＤに対応するライセンスが購入済みかどうかを判断する（Ｓ６０３）。ライセンスが購入済みの場合は（Ｓ６０３でＹＥＳ）、ライセンス情報確認部２１１は購入ライセンス情報を用いての購入済ライセンスの中���ら起動対象ライセンスを選択する（Ｓ６０４）。【００６３】  一方、ライセンスが購入済みでない場合は（Ｓ６０３でＮＯ）、コンテンツ起動制御装置１００にあらかじめ設定されているリソース名のリソースを起動する（Ｓ６０５）。このリソースはＢＭＬ等の言語で記述されたデータであり、ライセンスを購入するための関数とボタン等のユーザインターフェイスを実現するための記述が含まれ、コンテンツ起動制御装置１００に存在する記憶装置の一部に記録されている。このリソースを起動することにより、ライセンスの購入を促す図７の表示をユーザに対して出力する（Ｓ６０５）。【００６４】  図７は、ユーザにライセンスの購入を促すための表示画面７００の参考図であり、この画面７００でユーザが「購入画面へ（７０１）」を選択すると、購入画面を表示しユーザはライセンスを購入することができる。また、ユーザはライセンスを購入しないと判断する場合には「購入しない（７０２）」を選択する。【００６５】  次に、起動リソース選択部２１２は、起動リソース情報格納部２２２に格納されている起動リソース情報を元に、Ｓ６０４において選択した起動対象ライセンスに対応する起動リソースを選択する（Ｓ６０６）。【００６６】  そして、リソース起動部２１３が、起動リソース選択部２１２が選択した起動リソースを、該リソースに応じた方法で起動し（Ｓ６０７）、コンテンツ起動処理を終了する。例えば、ＭＰＥＧ２形式のリソースのように再生できるコンテンツの場合は、再生指示を行う。【００６７】  なお、図７に示すウインドウ上に表示する表示画面７００の構成は一例であり、表示するテキスト・ボタン等のオブジェクトの形状・配置・サイズは異なっていても良い。更に、図７に示すウインドウを提示するのはＢＭＬでなくコンテンツ起動制御装置１００に予め組み込まれたアプリケーションでも良い。【００６８】  図８は、本実施の形態１に係るコンテンツ起動制御装置１００における再生されるコンテンツの参考図である。【００６９】  本図において、コンテンツ１００は、１つの起動リソース情報と、３つのリソースから構成されている。リソース１はＣＭ入りのＡＶデータである「ＡＶ１．ｔｔｓ」、リソース２はＡＶデータのうちＣＭを飛ばしながら再生するダイジェスト視聴を可能とするためのＢＭＬ表記等で記述されたデータである「ｄｉｇｅｓｔ１．ｂｍｌ」、リソース３はＸＭＬ記述のセグメントメタデータである「ｄｉｇｅｓｔ１．ｘｍｌ」となる。【００７０】  起動リソース情報には、各リソースを再生するために必要なライセンスのＩＤ等のＤＲＭ情報が記録されており、起動リソース選択部２１２は、ライセンス情報として既に取得されているライセンスＩＤに対応するリソースを起動リソースとして選択する。なお、起動リソース情報の記述例は図９において説明する。【００７１】  本図においては、コンテンツ１００の起動指示を受けた場合に、ライセンス１０００が購入されている場合には、通常の再生であるＣＭ入りのＡＶデータであるリソース１が選択され、ライセンス１００１が購入されている場合には、起動リソースがＢＭＬで記述されたリソース２であり、このリソース２を再生するとリソース３のＸＭＬ記述のセグメント���タデータに従って、ＣＭ入りのＡＶデータであるリソース１を参照しながらＣＭを飛ばしたＡＶデータの再生処理が行われる。【００７２】  図９は、ネットワークを介して取得するコンテンツ内に記録され、本実施の形態１に係るコンテンツ起動制御装置１００のコンテンツ起動指示時に参照される起動リソース情報９００のデータ記述例を示す参考図である。【００７３】  この起動リソース情報９００は、例えばＸＭＬ文書にて記述され、ライセンスリストの行において、ライセンス（９０３）に対応するリソース指定（９０４）が記述され、また、リソースリストの行においては、リソース（９０１）に対応する鍵（９０２）が記述される。このように、本実施の形態１に係るコンテンツ起動制御装置１００においては、コンテンツ起動時に、起動リソース情報９００を参照して購入されたライセンスＩＤに対応する起動リソースを起動リソース情報９００から読み出し、このリソースを起動することにより、１つのコンテンツに対する複数のライセンス毎のリソース指定を行うことが可能となる。【００７４】  なお、本図においては、ライセンスリストの行において、ライセンスを有していない場合（９０５）のデフォルト起動リソース名（９０６）が記述された起動リソース情報も同様に記述されている。このように、ライセンスを有しない場合の起動リソースをコンテンツ内の起動リソース情報９００に記述しておくことにより、該当するライセンスがない場合にはコンテンツ内に記述されたデフォルト起動リソース（９０６）を起動することが可能となる。また、このデフォルト起動リソース（９０６）としては、例えば、購入を促すＢＭＬや、プレビューを表示するＢＭＬ（プレビューに該当するＡＶリソース）等が考えられ、ライセンスが購入されていない場合にこのデフォルト起動リソース（９０６）を指定することにより、提供するサービスの幅を拡大できる。さらに、この際、ライセンスを購入していなくても起動できるコンテンツかどうかを表す情報をコンテンツ情報として付与して送っても良い。この情報によって、コンテンツ起動制御装置１００は、ユーザに再生するコンテンツの選択肢を提示する若しくはしないを制御する事もできる。またさらに、選択肢の付加情報として再生できない旨を提示する若しくはしないを制御する事も可能である。【００７５】  図１０は、本実施の形態１に係るコンテンツ起動制御装置１００における画面表示の遷移の例を示す参考図である。【００７６】  最初に、ユーザがコンテンツの再生を行う場合には、図１０（ａ）に示すようにブラウザ画面にホームサーバ等に記録されている動画コンテンツのリンク先が記述されたコンテンツ一覧が表示される。【００７７】  次に、ユーザがマウス等を用いて再生希望するコンテンツを選択すると、コンテンツ再生専用のソフトウェアが起動して実際のコンテンツの再生が行われる。この際に、コンテンツ起動制御装置１００において、ライセンス情報確認部２１１は、ライセンス情報格納部２２１からコンテンツＩＤに対応するライセンス情報から購入済みのライセンス情報を確認して、起動リソース選択部２１２は、購入済みのライセンスＩＤに対応するコンテンツの起動リソース情報を起動リソース情報格納���２２２より取得して、リソース起動部２１３において選択されたリソースを起動する。【００７８】  そして、例えば、ユーザがライセンスＡを購入している場合には、ライセンスＡに対して設定されているリソースＡが起動リソースとして最初にリソース起動部２１３において起動され、図１０（ｂ）に示すようなＣＭ入りの試合が再生される。また、ライセンスＢを購入している場合には、ライセンスＢに対して設定されているリソースＢが起動リソースとして最初にリソース起動部２１３において起動され、図１０（ｃ）に示すようなＣＭなしの試合が再生される。更に、コンテンツに対応するライセンスを購入していない場合には、図１０（ｅ）に示す図７のコンテンツ購入を促す画面７００が表示される。【００７９】  そして、例えば、野球の試合においては、図１０（ｃ）に示すようにユーザのライセンス購入状況に応じて「松井シーン」や「イチローシーン」、「ハイライトシーン」といった選択ボタンが表示され、この選択ボタンから再生を希望するシーンを選択することにより、コンテンツ起動制御装置１００でライセンスが購入されているかを確認し、購入されている場合には起動リソースを選択して起動することにより、図１０（ｄ）に示すように各シーンの再生が開始される。なお、図１０（ｄ）は野球のコンテンツにおいて「松井シーン」を指定するライセンスＣが購入され、このライセンスＣに対応するリソースＣが起動される。【００８０】  このように、本実施の形態１に係るコンテンツ起動制御装置１００においては、１つのコンテンツＩＤに対応するライセンスＩＤを複数可能とすると共に、ライセンスの購入の有無に関する情報を確認して、購入されている場合にはライセンス毎に起動の対象となるリソースを選択することが可能となる。【００８１】  なお、本実施の形態１に係るコンテンツ起動制御装置１００において、１つのコンテンツに対して複数のライセンスが購入されている場合においては、そのライセンス毎に対応する選択肢をユーザに提示して選択させる、より高価なライセンスを自動的に選択して再生開始する等が可能である。例えば、本図において、ユーザが既に野球コンテンツに対して「ＣＭなし」のライセンスと、「松井シーン」のライセンスを購入していた場合には、最初に高価な「ＣＭなし」のライセンスに対応する起動リソースを起動して再生を開始、若しくはユーザにどちらかを選択するかの選択画面を表示することが考えられる。【００８２】  図１１は、本発明のコンテンツ起動制御装置１１０２と他の機器との接続例を示す参考図である。【００８３】  コンテンツ起動制御装置１１０２は、ユーザが操作するリモコン１１０１の信号の受信が可能であり、コンテンツ起動制御装置１１０２の映像・音声出力とディスプレイ１１０３は映像・音声出力を伝達できるケーブルによって接続されている。ディスプレイ１１０３は、コンテンツ起動制御装置１１０２からの映像・音声出力を表示する。コンテンツ起動制御装置１１０２は、更にインターネット１１０４に接続されており、ユーザのリモコン１１０１の操作による信号の受信等をトリガーにしてライセンス情報、起動リソース情報、コンテンツ、ライセンスをサーバからインターネットを介し���取得することが可能である。【００８４】  図１２は、本発明のコンテンツ起動制御装置１２１３と他の機器との接続例を示す参考図である。【００８５】  ユーザは、携帯端末１２１１からインターネット上の中継装置を介してホームサーバ１２１２にアクセスする。携帯端末１２１１がインターネットに接続する部は無線でも良いし有線でも良い。ホームサーバ１２１２は、ユーザのアクセスによる指示を受けてコンテンツ起動制御装置１２１３にコンテンツ起動指示を出すことができる。コンテンツ起動制御装置１２１３は、ホームサーバ１２１２からの指示のコンテンツを起動し、ホームサーバに出力する。ホームサーバ１２１２は、コンテンツ起動制御装置１２１３からの出力をホームサーバ１２１２の記憶領域に蓄積又は／及びＴＶ１２１４に出力することが出来る。コンテンツ起動制御装置１２１３は、アンテナ１２１５に接続されており、放送を介してライセンス情報、起動リソース情報、コンテンツ、ライセンスのいずれか、または全てを取得することが可能である。【００８６】  図１３は、本発明のコンテンツ起動制御装置を実施可能なハードウェア構成の例を示す参考図である。【００８７】  本発明が実施可能なハードウェアは、ＣＰＵ１３１４と、ＲＡＭ１３１３と、ＲＯＭ１３１２と、ハードディスク１３１１と、信号受信部１３１５と、通信部１３１７と、チューナ１３０１と、ＴＳデコーダ１３０２と、ＡＶデコーダ１３０３と、ＯＳＤ１３１８とを備えている。なお、図１３のハードウェア構成は１つの例であり、ＴＳデコーダやＡＶデコーダやＯＳＤはソフトウェアにより実現しても良い。また、本発明の実施１のコンテンツ起動制御装置においては、図１３のハードウェア構成のすべての要素が必要ではない。【００８８】  以上のように、本実施の形態１に係るコンテンツ起動制御装置１００によれば、１つのコンテンツに対して割り当てられる複数のライセンスと、各ライセンスに対応した起動リソース情報を利用することによって、起動リソース選択部２１２は、コンテンツ再生時に最初に起動対象となる起動リソースをユーザが購入したライセンスの種類に応じて選択することが可能となる。従って、コンテンツ提供者は１つのコンテンツに対して複数のライセンスをユーザに提供して、同一コンテンツの様々な視聴形態を手軽に提供できる。【００８９】  また、本実施の形態１に係るコンテンツ起動制御装置１００においては、各ライセンスに対応した複数の視聴形態に対して物理的にはコンテンツを共有するので、１つのライセンスに対して１つのコンテンツが割り当てられる場合と比較してコンテンツ格納部２２３に記録されるコンテンツの蓄積容量が削減できる。【００９０】  また、起動リソース情報格納部２２２に格納されているライセンスと起動リソースの情報が記録された起動リソース情報は、コンテンツのリソースとは別のデータとして存在するため、元々のコンテンツを変更することなく、起動リソース情報を変更することにより後付けでのライセンス追加が容易に可能となる。このため、ライセンスのバージョンアップが容易に可能となり、ユーザがライセンス差額をコンテンツ提供者に払うことにより、異なる視聴形態が可能なライセンスにバージョンア��プできるサービスが可能となる。【００９１】（実施の形態２）
以下、本発明に係るコンテンツ起動制御装置の第二の実施の形態について説明を行う。【００９２】  なお、本実施の形態２に係るコンテンツ起動制御装置は、コンテンツに含まれるリソースが暗号化されており、起動リソースの起動時に、ライセンスに含まれる鍵を用いて復号化することを特徴とする。【００９３】  図１４は、本発明の実施の形態２に係るコンテンツ起動制御装置１４００の機能ブロック図である。なお、図１４において、図１と同じ構成要素については同じ符号を用い、説明を省略する。【００９４】  本実施の形態２に係るコンテンツ起動制御装置１４００は、上述した実施の形態１の構成に加えて、受信部１４０２、ライセンス格納部１４０３、ＤＲＭクライアント１４０４、及び復号化部１４０５を備える。【００９５】  受信部１４０２は、ライセンス情報のうち購入有無情報以外の情報、起動リソース情報、コンテンツ、ライセンスのいずれか、または全てをインターネット等の双方向ネットワーク１４０１を介してサーバから取得し、ライセンス情報のうち購入有無情報以外の情報はライセンス情報格納部２２１に、起動リソース情報は起動リソース情報格納部２２２に、コンテンツはコンテンツ格納部２２３に、ライセンスはライセンス格納部１４０３に渡す。なお、各格納部は取得したデータを記憶領域に書き込む。ライセンス情報の購入有無情報は、ユーザによるライセンスを購入時、ライセンス期限の終了時等の時期に更新される。【００９６】  ＤＲＭクライアント１４０４は、ライセンス格納部１４０３からライセンスＩＤに対応するライセンスを取得し、ライセンスに含まれる鍵を復号化部１４０５に送る。【００９７】  復号化部１４０５は、ＤＲＭクライアント１４０４からライセンスＩＤに対応するライセンスに含まれる鍵を取得し、その鍵を用いて暗号化されたリソースを復号化する。リソース提示部２３１は復号化部１４０５によって復号化されたリソースを再生する。【００９８】  なお、ライセンス情報格納部２２１と起動リソース情報格納部２２２とコンテンツ格納部２２３とライセンス格納部１４０３とがデータを書き込む記録媒体は、同一の記録媒体の記憶領域でも、異なる記録媒体の記憶領域でもよい。また、それぞれの記憶領域は同一のファイルシステムが管理していても良いし、異なるファイルシステムが管理していても良い。【００９９】  ここで、記録媒体とは、ＲＡＭ・ＦｌａｓｈＲＯＭ・ＥＥＰＲＯＭ・ハードディスク・メモリカード・ＩＣカード・書き込み可能な光ディスク等、書き込み又は／及び読み込み可能な記録媒体である。また、コンテンツ起動制御装置内に固定されている記録媒体でも、コンテンツ起動制御装置から取り外し可能な記録媒体でも、コンテンツ起動制御装置の外部に存在し、コンテンツ起動制御装置から読み込み可能な記録媒体でも良い。【０１００】  図１５は、本実施の形態２に係るコンテンツ起動制御装置１４００において再生されるコンテンツの一例の参考図である。【０１０１】  本図において、コンテンツ１５０１は、１つの起動リソース情報と、２つのリソースから構成されている。リソース１は鍵Ａを用いて暗号化され、リソース２は鍵Ｂを用いて暗号化されている。【０１０２】  本実施の形態２にお��て、コンテンツ１５０１内に記録されている起動リソース情報には、各リソースを再生するために必要なライセンスＩＤ、鍵情報等のＤＲＭ情報が記録されており、ライセンス情報として既に取得されているライセンスＩＤに対応するリソースを起動リソースとして選択する。また、復号化部１４０５は、起動リソースを起動する場合には購入済みのライセンスに記録されている鍵を取得する。【０１０３】  そして、コンテンツ１５０１の起動指示を受け、ライセンス１０００が購入されている場合には、リソース１が選択され、復号化部１４０５は、ライセンス１０００に記録されている鍵Ａを用いてリソース１を復号化した後にリソース提示部２３１に渡し、ライセンス１００１が購入されている場合には、起動リソースとしてリソース２が選択され、復号化部１４０５は、ライセンス１００１に記録されている鍵Ｂを用いてリソース２を復号化した後にリソース提示部２３１に渡す処理を行う。【０１０４】  以上のように、本実施の形態２に係るコンテンツ起動制御装置１４００は、最初に起動対象となる起動するリソースが暗号化される場合においても、復号化部１４０５は、選択したライセンスに含まれる鍵を利用してリソースを復号化することが可能となる。【０１０５】  また、上述の実施の形態１に係るコンテンツ起動制御装置と同様に、ライセンス情報、起動リソース情報、コンテンツ、ライセンスの削除を行うことができ、更に、ネットワークを介してライセンス情報、起動リソース情報、コンテンツ、ライセンスの更新・追加を行うことが可能となる。【０１０６】  次に、本実施の形態２に係るコンテンツ起動制御装置において、図１４のネットワーク１４０１が放送である場合にライセンス情報及び起動リソース情報を取得する場合について説明する。【０１０７】  受信部１４０２は、通常のデジタル放送受信機と同様に、チューナ、トランスポートストリームデコーダ、およびＡＶデコーダ等から構成される。受信部１４０２は放送を介してトランスポートストリームを取得し、トランスポートストリーム中の、プログラム仕様情報（ＰＳＩ）又はＤＳＭ−ＣＣデータカルーセルによって伝送されるモジュールを取得し、ＰＳＩ又はモジュールの中にライセンス情報のうち購入有無情報以外の情報又は／及び起動リソース情報が存在する場合、それを取得することができる。【０１０８】  また、コンテンツのデータはトランスポートストリーム中のカルーセルにより伝送されたモジュールを受信部１４０２が受信することによって取得することが可能である。放送局が、同一のチャンネルにおいて、購入有無情報以外のライセンス情報又は／及び起動リソース情報と、コンテンツを放送することにより、コンテンツ起動制御装置は当該チャンネルを視聴することにより、同時期にコンテンツと、コンテンツに対応した購入有無情報以外のライセンス情報又は／及び起動リソース情報を取得することが可能となる。【０１０９】  そして、このプログラム仕様情報（ＰＳＩ）はトランスポートストリームに多重化された複数のプログラムストリームの情報を保持するものであり、ＩＳＯ／ＩＥＣ１３８１８−１に定義されている。ＤＳＭ−ＣＣデータカルーセルはデジタル放送等において利用されるデータ転送の方式であり、ＩＳＯ／ＩＥＣ１３８１８−６に定義されている。【０１１０】  なお、上述の実施の形態の一部においては、ネットワークを介してコンテンツ起動制御装置はライセンス情報、起動リソース情報、コンテンツ、ライセンスを取得しているが、ネットワークとはＢＳ・ＣＳ・地上波等の放送波による放送、ＣＡＴＶ、イントラネット、ローカルエリアネットワーク等のネットワークを含む。【０１１１】  また、ライセンス情報、起動リソース情報、コンテンツ、ライセンスの送受信に用いる技術としてＩＰマルチキャストを用いても良い。ＩＰマルチキャストはネットワーク中の機器によってパケットをコピーし、複数の機器に配信する技術である。また、前記ネットワークを複数種類組み合わせてライセンス情報、起動リソース情報、コンテンツ、ライセンスを取得しても良い。例えば、インターネットを介してサーバへライセンス情報取得のためのリクエストを送信し、ライセンス情報はＣＳ放送より取得しても良い。【０１１２】  そして、上述の各実施の形態において、コンテンツ起動制御装置は、携帯電話等の携帯型電子機器、光ディスクプレーヤ等の家庭用ＡＶ機器、リモコン等の家庭用ＡＶ機器の周辺機器、家庭用ゲーム機、パソコン、プリンタ等のパソコンの周辺機器、電子レンジ、冷蔵庫等の家庭用電化機器の一部として実装されていても良い。【０１１３】  また、上述の各実施の形態において、各構成要素はコンテンツ起動制御装置内に配置されているが、構成要素の一部がコンテンツ起動制御装置外に配置され、ネットワークを介して各構成要素を接続しても良い。また、構成要素から構成要素へのアクセスはオペレーティングシステムを介して行っても良い。【０１１４】  更に、上述の各実施の形態において、機能のまとまりごとに構成要素を分割しているが、これらの複数の構成要素をそれぞれの構成要素の機能が複合した機能をもつ１つの構成要素にまとめても良い。例えば、コンテンツ起動指示受信部２０１とライセンス情報確認部２２２を別の構成要素として表しているが、コンテンツ起動指示受信部２０１及びライセンス情報確認部２２２の代わりに、コンテンツ起動指示受信部とライセンス情報確認部の機能を併せ持つ１つの構成要素として存在しても良い。【０１１５】  なお、ネットワークとは、有線である場合はもちろん無線である場合も含む。「ネットワークを介して取得する」とは、１対１の通信だけでなく、１対多の放送・ＩＰマルチキャストも含む。【０１１６】  また、コンテンツはＭＰＥＧ２、ＭＰＥＧ４等の映像情報・ＡＡＣ（Ａｄｖａｎｃｅｄ  Ａｕｄｉｏ  Ｃｏｄｉｎｇ）等の音声情報・ＨＴＭＬ（ＨｙｐｅｒＴｅｘｔ  Ｍａｒｋｕｐ  Ｌａｎｇｕａｇｅ）、ＢＭＬ（Ｂｒｏａｄｃａｓｔ  Ｍａｒｋｕｐ  Ｌａｎｇｕａｇｅ）等の構造記述型言語記述データ・ＪＰＥＧ（Ｊｏｉｎｔ  Ｐｈｏｔｏｇｒａｐｈｉｃ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）等の画像情報、ＥｃｍａＳｃｒｉｐｔ等のスクリプト、メタデータ等の単体またはそれらの組み合わせにより構成されたものでも良い。【０１１７】  更に、上記した各実施の形態は、記憶装置（ＲＯＭ、ＲＡＭ、ハードディスク等）に格���された上述した処理手順を実行可能な所定のプログラムデータが、ＣＰＵによって解釈実行されることで実現される。この場合、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカード等の記録媒体をいう。また、記録媒体は、電話回線や搬送路等の通信媒体も含む概念である。【０１１８】  なお、図１６に示すようにコンテンツ起動指示受信部２０１、ライセンス情報確認部２１１、起動リソース選択部２１２、リソース起動部２１３、リソース提示部２３１等の各機能ブロックは典型的には集積回路であるＬＳＩ１６０１として実現されても良い。これらは個別に１チップ化されても良いし、一部又は全てを含むように１チップ化されても良い。ここでは、ＬＳＩ１６０１としたが、集積度の違いにより、ＩＣ、システムＬＳＩ、スーパーＬＳＩ、ウルトラＬＳＩと呼称されることもある。【０１１９】  また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。【０１２０】  更には、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０１２１】  本発明にかかるコンテンツ起動制御装置は、ライセンスに応じたコンテンツ起動機能を有し、例えば、テレビ、ホームサーバ、メディアレコーダ等の家庭用ＡＶ機器の機能として有用である。また、携帯型電子機器、家庭用ＡＶ機器の周辺機器、家庭用ゲーム機、パソコン、パソコンの周辺機器、家庭用電化機器等の機能としても応用できる。
【図１】
2006022304.tif 000002
【図２】
2006022304.tif 000003
【図３】
2006022304.tif 000004
【図４】
2006022304.tif 000005
【図５】
2006022304.tif 000006
【図６】
2006022304.tif 000007
【図７】
2006022304.tif 000008
【図８】
2006022304.tif 000009
【図９】
2006022304.tif 000010
【図１０】
2006022304.tif 000011
【図１１】
2006022304.tif 000012
【図１２】
2006022304.tif 000013
【図１３】
2006022304.tif 000014
【図１４】
2006022304.tif 000015
【図１５】
2006022304.tif 000016
【図１６】
2006022304.tif 000017
【図１７】
2006022304.tif 000018
【図１８】
2006022304.tif 000019
【図１９】
2006022304.tif 000020
【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
コンテンツの起動を制御するコンテンツ起動制御装置であって、
コンテンツの起動指示を受信するコンテンツ起動指示受信手段と、
コンテンツのライセンス情報を記憶するライセンス情報格納手段と、
前記コンテンツ起動指示受信手段において起動指示を受けた場合には、前記ライセンス情報に基づいて、当該コンテンツに対応する複数のライセンスから購入済みであるライセンスを取得するライセンス情報確認手段と、
前記ライセンス毎に対応する起動リソースを示す起動リソース情報を格納する起動リソース情報格納手段と、
前記起動リソース情報に基づいて、前記ライセンス情報確認手段において購入済みと確認されたライセンスに対応する起動リソースを選択する起動リソース選択手段と、
前記起動リソース選択手段により選択された起動リソースを起動するリソース起動手段とを備える
ことを特徴とするコンテンツ起動制御装置。
【請求項２】
前記ライセンス情報には、コンテンツＩＤと、当該コンテンツＩＤに対応するコンテンツに用いる複数のライセンスＩＤと、当該ライセンスＩＤ毎の購入有無情報との関係が含まれ、
前記起動リソース情報には、コンテンツＩＤと、当該コンテンツＩＤに対応するコンテンツに用いる複数のライセンスＩＤと、当該ライセンスＩＤに対する起動リソースとの関係が含まれ、
前記ライセンス情報確認手段は、前記ライセンス情報に基づいて、起動指示を受けたコンテンツのコンテンツＩＤに対応する複数のライセンスＩＤから購入済みのライセンスのライセンスＩＤを取得し、
前記起動リソース選択手段は、前記起動リソース情報に基づいて、当該ライセンスＩＤに対応する起動リソースを選択する
ことを特徴とする請求項１記載のコンテンツ起動制御装置。
【請求項３】
前記ライセンス情報又は前記起動リソース情報における前記ライセンスＩＤと前記コンテンツＩＤとの関係は、１対多又は多対１となる
ことを特徴とする請求項２記載のコンテンツ起動制御装置。
【請求項４】
前記ライセンス情報確認手段は、購入済みのライセンスが複数ある場合には、予め設定された条件に基づいて前記ライセンスＩＤを取得する
ことを特徴とする請求項２記載のコンテンツ起動制御装置。
【請求項５】
前記コンテンツ起動指示受信手段は、第二の装置からコンテンツの起動指示を受信し、
前記ライセンス情報確認手段は、前記ライセンス情報を用いて、前記第二の装置から起動指示を受けたコンテンツに対応するライセンスが購入済みであるか否かの情報を取得し、
前記起動リソース選択手段は、前記起動リソース情報を用いて、前記ライセンス情報確認手段において購入済みと確認された場合には前記ライセンスに対応する起動リソースを選択し、
前記リソース起動手段は、少なくとも前記起動リソース選択手段において選択された起動リソースを前記第二の装置に送信する
ことを特徴とする請求項１記載のコンテンツ起動制御装置。
【請求項６】
前記リソース起動手段は、更に、前記起動リソースと共に購入済みの前記ライセンスを前記第２の装置に送信する
ことを特徴とする請求項５記載のコンテンツ起動制御装置。
【請求項７】
前記起動リソース情報には、更に、前記起動リソース毎に設定される鍵情報が含まれ、
前記コンテンツ起動制御装置は、更に、
前記ライセンスを格納するライセンス格納手段と、
前記起動リソース情報を用いて、前記ライセンス情報確認手段が取得した購入済みのライセンスの一部または全部のデータを前記ライセンス格納手段から取得して前記起動リソースを復号化するための鍵を抽出する鍵抽出手段と、
前記鍵抽出手段において抽出した鍵を用いて前記起動リソースを復号化する復号化手段とを備える
ことを特徴とする請求項２記載のコンテンツ起動制御装置。
【請求項８】
前記コンテンツ起動制御装置は、更に、
前記ライセンス情報確認手段において起動指示されたコンテンツに対応するライセンスが未購入と確認される場合には、前記ライセンスの購入を促すための画面を表示する表示手段を備える
ことを特徴とする請求項１記載のコンテンツ起動制御装置。
【請求項９】
前記起動リソース情報には、更に、前記ライセンス情報確認手段において起動指示されたコンテンツに対応する複数のライセンスが全て未購入と確認される場合に起動されるデフォルト起動リソースが含まれ、
前記起動リソース選択手段は、前記ライセンス情報確認手段において起動指示されたコンテンツに対応する複数のライセンスが全て未購入と確認される場合に前記デフォルト起動リソースを選択する
ことを特徴とする請求項２記載のコンテンツ起動制御装置。
【請求項１０】
前記起動リソース情報には、更に、前記デフォルト起動リソースの有無の情報が含まれ、
前記コンテンツ起動制御装置は、更に、
ライセンス未購入の場合において、当該情報に基づき、前記デフォルト起動リソースが有る場合にのみ、前記起動リソース情報を含むコンテンツを再生可能コンテンツ一覧に表示可能と判定する判定手段を備える
ことを特徴とする請求項９記載のコンテンツ起動制御装置。
【請求項１１】
前記起動リソース選択手段は、前記起動リソース情報において、前記ライセンス情報確認手段において確認されるライセンスＩＤに対応する起動リソースが存在しない場合には、あらかじめ設定されたリソースを選択する
ことを特徴とする請求項１記載のコンテンツ起動制御装置。
【請求項１２】
前記ライセンス情報のうち購入有無情報以外の情報、及び前記起動リソース情報の少なくとも一方はネットワークを介して取得するコンテンツに記述されている
ことを特徴とする請求項２記載のコンテンツ起動制御装置。
【請求項１３】
コンテンツの起動を制御するコンテンツ起動制御装置に用いるコンテンツ起動制御方法であって、
コンテンツの起動指示を受信するコンテンツ起動指示受信ステップと、
コンテンツのライセンス情報を記憶するライセンス情報格納ステップと、
前記コンテンツ起動指示受信ステップにおいて起動指示を受けた場合には、前記ライセンス情報に基づいて、当該コンテンツに対応する複数のライセンスから購入済みであるライセンスを取得するライセンス情報確認ステップと、
前記ライセンス毎に対応する起動リソースを示す起動リソース情報を格納する起動リソース情報格納ステップと、
前記起動リソース情報に基づいて、前記ライセンス情報確認ステップにおいて購入済みと確認されたライセンスに対応する起動リソースを選択する起動リソース選択ステップと、
前記起動リソース選択ステップにおいて選択された起動リソースを起動するリソース起動ステップとを含む
ことを特徴とするコンテンツ起動制御方法。
【請求項１４】
前記ライセンス情報には、コンテンツＩＤと、当該コンテンツＩＤに対応するコンテンツに用いる複数のライセンスＩＤと、当該ライセンスＩＤ毎の購入有無情報との関係が含まれ、
前記起動リソース情報には、コンテンツＩＤと、当該コンテンツＩＤに対応するコンテンツに用いる複数のライセンスＩＤと、当該ライセンスＩＤに対する起動リソースとの関係が含まれ、
前記ライセンス情報確認ステップにおいては、前記ライセンス情報に基づいて、起動指示を受けたコンテンツのコンテンツＩＤに対応する複数のライセンスＩＤから購入済みのライセンスのライセンスＩＤを取得し、
前記起動リソース選択ステップにおいては、前記起動リソース情報に基づいて、当該ライセンスＩＤに対応する起動リソースを選択する
ことを特徴とする請求項１３記載のコンテンツ起動制御方法。
【請求項１５】
コンテンツの起動を制御するコンテンツ起動制御装置に用いるプログラムであって、
コンテンツの起動指示を受信するコンテンツ起動指示受信ステップと、
コンテンツのライセンス情報を記憶するライセンス情報格納ステップと、
前記コンテンツ起動指示受信ステップにおいて起動指示を受けた場合には、前記ライセンス情報に基づいて、当該コンテンツに対応する複数のライセンスから購入済みであるライセンスを取得するライセンス情報確認ステップと、
前記ライセンス毎に対応する起動リソースを示す起動リソース情報を格納する起動リソース情報格納ステップと、
前記起動リソース情報に基づいて、前記ライセンス情報確認ステップにおいて購入済みと確認されたライセンスに対応する起動リソースを選択する起動リソース選択ステップと、
前記起動リソース選択ステップにおいて選択された起動リソースを起動するリソース起動ステップとを含む
ことを特徴とするプログラム。
【請求項１６】
前記ライセンス情報には、コンテンツＩＤと、当該コンテンツＩＤに対応するコンテンツに用いる複数のライセンスＩＤと、当該ライセンスＩＤ毎の購入有無情報との関係が含まれ、
前記起動リソース情報には、コンテンツＩＤと、当該コンテンツＩＤに対応するコンテンツに用いる複数のライセンスＩＤと、当該ライセンスＩＤに対する起動リソースとの関係が含まれ、
前記ライセンス情報確認ステップにおいては、前記ライセンス情報に基づいて、起動指示を受けたコンテンツのコンテンツＩＤに対応する複数のライセンスＩＤから購入済みのライセンスのライセンスＩＤを取得し、
前記起動リソース選択ステップにおいては、前記起動リソース情報に基づいて、当該ライセンスＩＤに対応する起動リソースを選択する
ことを特徴とする請求項１５記載のプログラム。
【請求項１７】
請求項１５又は１６に記載のプログラムを記録した記録媒体。
【請求項１８】
コンテンツの起動を制御するコンテンツ起動制御装置に用いる集積回路であって、
コンテンツの起動指示を受信するコンテンツ起動指示受信手段と、
前記コンテンツ起動指示受信手段において起動指示を受けた場合には、コンテンツのライセンス情報に基づいて、当該コンテンツに対応する複数のライセンスから購入済みであるライセンスを取得するライセンス情報確認手段と、
前記ライセンス毎に対応する起動リソースを示す起動リソース情報に基づいて、前記ライセンス情報確認手段において購入済みと確認されたライセンスに対応する起動リソースを選択する起動リソース選択手段と、
前記起動リソース選択手段により選択された起動リソースを起動するリソース起動手段とを備える
ことを特徴とする集積回路。
【手続補正２】
【補正対象書類名】明細書
【補正対象項目名】全文
【補正方法】変更
【補正の内容】
【発明の詳細な説明】
【技術分野】
【０００１】
本発明は、ライセンスを管理してデジタル放送、インターネットなどで配信されるコンテンツの再生時の起動を制御するコンテンツ起動制御装置に関し、特にライセンスの種類に応じてコンテンツの再生制御を行うコンテンツ起動制御装置に関する。
【背景技術】
【０００２】
近年、放送・通信等のネットワークの発達に伴い、映像・音楽・ゲーム等のコンテンツを、これらのネットワークを通じて取得する端末が登場した。例えば、ＢＳ（Ｂｒｏａｄｃａｓｔ  Ｓａｔｅｌｌｉｔｅ）デジタル放送や、ＣＳ（Ｃｏｍｍｕｎｉｃａｔｉｏｎ  Ｓａｔｅｌｌｉｔｅ）デジタル放送では、ＭＰＥＧ２規格により映像や音声がデジタル化されて配信されており、地上デジタル放送においても同規格で映像や音声を含むＡＶデータが配信されている。
【０００３】
そして、これらの放送・通信等のネットワークによる配信において、コンテンツの著作権を保護するため、取得したコンテンツを不正に利用できないようにする必要があり、従来から、コンテンツを復号できる鍵とコンテンツの利用条件を組にしたデータであるライセンスを用いてユーザのコンテンツの利用を制限する方法が用いられている。
【０００４】
また、例えば、コンテンツに、コンテンツのサンプルデータと、課金情報と、コンテンツを識別するユニークＩＤと、コンテンツ本体のネットワーク上における所在を識別する所在ＩＤとが含まれ、コンテンツを取得し、課金処理後、前記コンテンツ本体をダウンロードまたは再生する際に、サイズ・解像度、出力方法等に応じた課金を行う方法が開示されている（例えば、特許文献１参照）。
【０００５】
そして、図１７は、従来の技術におけるコンテンツ１７０１の再生時の説明図である。図１７に示すコンテンツ１７０１では、３つのリソースから構成されており、各リソースのヘッダには各リソースを再生するために必要なライセンスのＩＤ等のＤＲＭ（Ｄｉｇｉｔａｌ  Ｒｉｇｈｔｓ  Ｍａｎａｇｅｍｅｎｔ）情報が記載されている。各リソースはヘッダに記載されたＤＲＭ情報を用いてライセンスの取得・確認を行うことができる。
【０００６】
ここで、リソースとは、ＭＰＥＧ２規格の映像・音声やＪＰＥＧ規格の画像やＢＭＬ（Ｂｒｏａｄｃａｓｔ  Ｍａｒｋｕｐ  Ｌａｎｇｕａｇｅ）など、当該装置または他の装置において再生可能な最小単位のデータである。コンテンツは１つのリソースにより構成されていても良いし、複数のリソースにより構成されていても良い。
【０００７】
また、図１８に従来の技術におけるコンテンツ１８０１の再生時の説明図である。図１８に示すコンテンツ１８０１は、１つの起動リソース情報と３つのリソースから構成されている。各リソースを再生するために必要なライセンスのＩＤ等のＤＲＭ情報は起動リソース情報に記録されており、コンテンツ１８０１におけるすべてのリソースは起動リソース情報に記録されたＤＲＭ情報を用いてライセンスの取得・ライセンスの確認を行うことができる。
【特許文献１】国際公開第ＷＯ２００２／０５６２２０号パンフレット
【発明の開示】
【発明が解決しようとする課題】
【０００８】
しかしながら、特許文献１に示す方法では、コンテンツが、再生可能な複数のリソースから構成される場合においての再生方法が開示されていない。
【０００９】
また、図１７に示すコンテンツ１７０１を再生装置で再生する場合は、１つのリソースを起動する毎にヘッダに記載されているＤＲＭ情報を読み出しライセンスの取得等の処理を行うことが必要であるため、多数のリソースを有するコンテンツを再生する場合の再生装置の処理の負荷が高くなるという課題を有している。
【００１０】
また、図１８に示すコンテンツ１８０１を再生装置で再生する場合は、起動リソース情報に記録されているＤＲＭ情報を用いてライセンスを取得し、そのライセンスを用いてコンテンツ内の他のリソースの起動を行うことが可能なため、図１７に示すコンテンツ１７０１の再生において発生するような課題は存在しない。しかしながら、起動リソース情報を固定しているため、コンテンツ内で最初に起動されるリソース（図１８においてはリソース２）をユーザの視聴形態に応じて変化させることが出来ないという課題を有している。
【００１１】
そして、上記の課題を解決するために、複数のコンテンツがリソースを共有する構造を用いることが考えられる。
【００１２】
図１９は、複数のコンテンツがリソースを共有する場合のコンテンツ１９０１の再生時の説明図である。本図において、コンテンツ１９０１とコンテンツ１９０２とでリソースを共有しており、コンテンツ１９０２がリソース１、リソース２、及びリソース３の実体を保持しており、コンテンツ１９０１には起動リソース情報のみが記述され、この起動リソース情報はコンテンツ１９０２のリソース１を参照している。このような構造の複数のコンテンツの場合、ユーザは再生するコンテンツを選択（図１９においては、コンテンツ１９０１と１９０２を選択）することにより、好みの視聴形態で再生を行うことが可能となる。
【００１３】
しかしながら、この方法においては、コンテンツ内だけでなく異なるコンテンツ間においてリソースの参照関係が存在するため、起動リソース情報にて参照される参照先のリソースが、参照元のコンテンツの構成として正しいリソースであると常に保証することが出来ず、特に、ライセンスを有料で販売してコンテンツを提供するようなコンテンツの形態としては不適当となる。
【００１４】
本発明は、前記の全ての課題を解決するもので、コンテンツ内で最初に起動される起動リソースを変化させて、１つのコンテンツに対して、購入したライセンスの種類に応じて複数の視聴形態を提供することが可能なコンテンツ起動制御装置を提供することを目的とする。
【００１５】
また、１つのコンテンツに対して、新たな視聴形態の追加が容易に可能なコンテンツ起動制御装置を提供することを目的とする。
【００１６】
更に、コンテンツの視聴形態の追加する際においても、新たにコンテンツの蓄積を必要としないコンテンツ起動制御装置を提供することをも目的とする。
【課題を解決するための手段】
【００１７】
前記従来の課題を解決するために、本発明のコンテンツ起動制御装置は、コンテンツの起動を制御するコンテンツ起動制御装置であって、コンテンツの起動指示を受信するコンテンツ起動指示受信手段と、コンテンツのライセンス情報を記憶するライセンス情報格納手段と、前記コンテンツ起動指示受信手段において起動指示を受けた場合には、前記ライセンス情報に基づいて、当該コンテンツに対応する複数のライセンスから購入済みであるライセンスを取得するライセンス情報確認手段と、前記ライセンス毎に対応する起動リソースを示す起動リソース情報を格納する起動リソース情報格納手段と、前記起動リソース情報に基づいて、前記ライセンス情報確認手段において購入済みと確認されたライセンスに対応する起動リソースを選択する起動リソース選択手段と、前記起動リソース選択手段により選択された起動リソースを起動するリソース起動手段とを備えることを特徴とする。
【００１８】
本構成によって、ライセンス情報確認手段は、購入済みのライセンスを取得して、起動リソース選択手段において、このライセンスに対応する起動リソースを選択するため、リソース起動手段で購入済みライセンスに対応したコンテンツの起動リソースを、コンテンツを構成する複数のリソースの中から選択して起動することが可能となる。
【００１９】
また、本発明に係るコンテンツ起動制御装置において、前記ライセンス情報には、コンテンツＩＤと、当該コンテンツＩＤに対応するコンテンツに用いる複数のライセンスＩＤと、当該ライセンスＩＤ毎の購入有無情報との関係が含まれ、前記起動リソース情報には、コンテンツＩＤと、当該コンテンツＩＤに対応するコンテンツに用いる複数のライセンスＩＤと、当該ライセンスＩＤに対する起動リソースとの関係が含まれ、前記ライセンス情報確認手段は、前記ライセンス情報に基づいて、起動指示を受けたコンテンツのコンテンツＩＤに対応する複数のライセンスＩＤから購入済みのライセンスのライセンスＩＤを取得し、前記起動リソース選択手段は、前記起動リソース情報に基づいて、当該ライセンスＩＤに対応する起動リソースを選択することを特徴とする。
【００２０】
この構成により、ライセンス情報には、１つのコンテンツＩＤに対応する複数の種類の異なるライセンスＩＤを設定して、起動リソース情報を用いて、各ライセンスＩＤ毎に起動対象となるコンテンツのリソースを設定するため、本発明に係るコンテンツ起動制御装置を用いることにより、ユーザのライセンス購入の状況に応じて１つのコンテンツに基づく様々な視聴形態を提供することが可能となる。
【００２１】
また、本発明に係るコンテンツ起動制御装置において、前記コンテンツ起動指示受信手段は、第二の装置からコンテンツの起動指示を受信し、前記ライセンス情報確認手段は、前記ライセンス情報を用いて、前記第二の装置から起動指示を受けたコンテンツに対応するライセンスが購入済みであるか否かの情報を取得し、前記起動リソース選択手段は、前記起動リソース情報を用いて、前記ライセンス情報確認手段において購入済みと確認された場合には前記ライセンスに対応する起動リソースを選択し、前記リソース起動手段は、少なくとも前記起動リソース選択手段において選択された起動リソースを前記第二の装置に送信することを特徴とする。
【００２２】
この構成により、第二の装置をホームサーバと、コンテンツ起動制御装置側をテレビとした場合に、テレビ側からコンテンツＩＤを指定することで、ホームサーバに記録蓄積されているコンテンツをユーザのライセンス購入の状況に応じてリソース情報としてテレビ側に送信することが可能となる。
【００２３】
なお、前記目的を達成するために、本発明は、前記コンテンツ起動制御装置の特徴的な構成手段をステップとするコンテンツ起動制御方法としたり、それらのステップを全て含むプログラムとして実現することもできる。そして、そのプログラムは、コンテンツ起動制御装置が備えるＲＯＭ等に格納しておくだけでなく、ＣＤ−ＲＯＭ等の記録媒体や通信ネットワークを介して流通させることもできる。
【発明の効果】
【００２４】
本発明に係るコンテンツ起動制御装置は、ユーザに対して同一コンテンツの複数の視聴形態を、より手軽に提供できる。また、１つのライセンスに対して１つのコンテンツが必要な場合と比較してコンテンツの蓄積容量が削減できる。更に、ユーザがライセンスの差額をコンテンツ提供者に払うことにより、同一コンテンツの異なる視聴形態が可能なライセンスに容易にバージョンアップできるサービスが可能となる。
【発明を実施するための最良の形態】
【００２５】
以下、本発明の実施の形態について、図面を参照しながら説明する。
【００２６】
（実施の形態１）
図１は、本発明の実施の形態１におけるコンテンツ起動制御装置１００の機能ブロック図を示す。尚、本実施の形態１に係るコンテンツ起動制御装置１００は、１つのコンテンツに対して複数の種類の異なるライセンスを付与して、コンテンツ再生時にライセンスの購入有無情報を確認して、購入されたライセンスの種類に応じたコンテンツの起動リソースを選択することを特徴とする。
【００２７】
図１において、コンテンツ起動指示受信部２０１は、ユーザの操作または他の装置により指定されたコンテンツの起動指示を受信する。ここで、コンテンツ起動指示受信部２０１は、コンテンツの起動指示におけるコンテンツ指定方法が、コンテンツを識別可能なコンテンツＩＤによるものでない場合には、指定されたコンテンツの情報を用いて、コンテンツＩＤを解決し、コンテンツＩＤをライセンス情報確認部２１１に渡し、また、コンテンツ起動指示におけるコンテンツ指定方法がコンテンツＩＤによるものである場合には、そのコンテンツＩＤをライセンス情報確認部２１１に渡す。
【００２８】
ライセンス情報確認部２１１は、ライセンス情報格納部２２１に格納されているライセンス情報から、コンテンツ起動指示受信部２０１から取得したコンテンツＩＤに対応する購入済みライセンスを検索して、検索されたライセンスＩＤを起動リソース選択部２１２に渡す。
【００２９】
図２は、ライセンス情報格納部２２１に格納されているライセンス情報が記載されたテーブル２００の例を示す参考図である。
【００３０】
本図において、コンテンツＩＤ１００のコンテンツに対するライセンスは、ライセンスＩＤ１０００とライセンスＩＤ１００１の２つ存在し、ライセンスＩＤ１０００のライセンスは「未購入」であり、ライセンスＩＤ１００１のライセンスは「購入済み」であることを表している。
【００３１】
また、コンテンツＩＤ２００のコンテンツに対するライセンスは、ライセンスＩＤ２０００とライセンスＩＤ２００１とライセンスＩＤ２００２の３つ存在し、ライセンスＩＤ２０００とライセンスＩＤ２００１のライセンスは「未購入」であり、ライセンスＩＤ２００２のライセンスは「購入済み」であることを表している。
【００３２】
そして、ライセンス情報確認部２１１は、図２におけるライセンス情報からコンテンツＩＤ１００で検索すると、コンテンツＩＤ１００に対応する２つのライセンスＩＤの購入有無情報にアクセスし、ライセンスＩＤ１０００とライセンスＩＤ１００１の内、購入済みライセンスであるライセンスＩＤ１００１を検索する。このように、本実施の形態１に係るコンテンツ起動制御装置１００のライセンス情報確認部２１１は、コンテンツＩＤとライセンスＩＤが１対多であっても動作し、購入済みライセンスを検索することが可能である。
【００３３】
起動リソース選択部２１２は、起動リソース情報格納部２２２に格納されている起動リソース情報から、コンテンツＩＤとライセンス情報確認部２１１から取得したライセンスＩＤとに対応する起動リソース名を検索する。
【００３４】
図３は、起動リソース情報格納部２２２に格納されている起動リソース情報が記載されたテーブル３００の例を示す参考図である。
【００３５】
このテーブル３００には、１列目にコンテンツＩＤを、２列目にライセンスＩＤを、３列目に１列目と２列目に対応するリソース名が記録されている。例えば、このテーブル３００の一行目は、コンテンツＩＤ１００・ライセンスＩＤ１０００のときの起動リソースは「ＡＶ１．ＴＴＳ」であることを示している。起動リソース選択部２１２は、図３における起動リソース情報例からコンテンツＩＤ１００・ライセンスＩＤ１００１で検索すると、リソース名「ｄｉｇｅｓｔ１．ｂｍｌ」を検索する。起動リソース選択部２１２は、検索されたリソース名をリソース起動部２１３に渡す。
【００３６】
リソース起動部２１３は、起動リソース選択部２１２から取得したリソース名に対応するリソースをコンテンツ格納部２２３から取得し、リソース提示部２３１に渡す。
【００３７】
リソース提示部２３１は、リソースを再生した結果、またはリソースを、他のソフトウェア、又はネットワークを介して接続された第２の装置、又は記録媒体に対して出力する。例えば、リソースが動画である「ＡＶ１．ＴＴＳ」であった場合、リソース提示部２３１が「ＡＶ１．ＴＴＳ」を再生した結果をディスプレイに出力することにより、ユーザは動画を鑑賞することができる。別の例では、リソース提示部２３１が「ＡＶ１．ＴＴＳ」をホームサーバに出力することにより、ホームサーバは「ＡＶ１．ＴＴＳ」をホームサーバが持つ記録媒体に蓄積することができる。
【００３８】
次に、実サービスへの適用例について説明する。
【００３９】
例えば、コンテンツＩＤ１００のコンテンツは、ＣＭ入りのＡＶデータであるリソース１、ＢＭＬ等で記述されたリソース２、及びＸＭＬ記述のセグメントメタデータであるリソース３から構成される。このセグメントメタデータは、ＡＶデータのうち、ＣＭを飛ばしながら再生するダイジェスト視聴を可能とするメタデータであるとする。
【００４０】
そして、本発明のコンテンツ起動制御装置１００を利用することにより、ライセンス１０００を購入したユーザは、起動リソースがＣＭ入りのＡＶデータとなり、ＣＭを含むＡＶデータを先頭から順に再生することが可能となる。また、ライセンス１００１を購入したユーザは、起動リソースがＢＭＬで記述されたリソース２であり、このリソース２を再生するとリソース３のＸＭＬ記述のセグメントメタデータ記述に従って、ＣＭ入りのＡＶデータであるリソース１を参照しながらＣＭを飛ばしたＡＶデータの再生処理が可能となる。
【００４１】
このように、本発明のコンテンツ起動制御装置１００をテレビ等のコンテンツ再生装置側に用いることにより、ユーザは嗜好に合った視聴が可能なライセンスを購入することが可能となり、また、コンテンツ事業者は、異なるライセンスの再生処理方法に応じて価格に差異を設けることにより、１つのコンテンツを異なる嗜好を持つユーザに受け入れてもらうことが可能となる。
【００４２】
上記の図２及び図３とは異なるライセンス情報と起動リソース情報を用いた場合の例を図４のライセンス情報が記載されたテーブル４００、及び図５の起動リソース情報が記載されたテーブル５００を用いて説明する。
【００４３】
コンテンツＩＤ３００のコンテンツは、コンテンツＩＤ１００と同一のＣＭ入りのＡＶデータである「ＡＶ１．ＴＴＳ」と、コンテンツＩＤ２００と同一のＣＭ入りＡＶデータである「ＡＶ２．ＴＴＳ」と、ＡＶ１．ＴＴＳの本編のハイライトシーンだけを再生することを可能とする「ｄｉｇｅｓｔ３−１．ｂｍｌ」と、ＡＶ２．ＴＴＳの本編のハイライトシーンだけを再生することを可能とする「ｄｉｇｅｓｔ３−２．ｂｍｌ」とで構成されているとする。
【００４４】
図４は、ライセンス情報格納部２２１に格納されているライセンス情報が記載されたテーブル４００の例を示す参考図である。
【００４５】
コンテンツＩＤ１００のコンテンツに対するライセンスは、ライセンスＩＤ１０００とライセンスＩＤ１００１の２つ存在し、ライセンスＩＤ１０００のライセンスは「購入済み」であり、ライセンスＩＤ１００１のライセンスは「未購入」であることをこの情報例で表している。
【００４６】
コンテンツＩＤ２００のコンテンツに関しては図２における説明と同一なので説明を省略する。
【００４７】
コンテンツＩＤ３００のコンテンツに対するライセンスは、ライセンスＩＤ１０００とライセンスＩＤ２０００の２つ存在し、ライセンスＩＤ２０００のライセンスは「未購入」であり、ライセンスＩＤ１０００のライセンスは「購入済み」であることを表している。
【００４８】
ライセンス情報確認部２１１は、図４におけるライセンス情報が記載されたテーブル４００からコンテンツＩＤ３００で検索すると、コンテンツＩＤ３００に対応する２つのライセンスＩＤの購入有無情報にアクセスし、ライセンスＩＤ１０００とライセンスＩＤ２０００の内、購入済みライセンスのＩＤであるライセンスＩＤ１０００を検索する。また、コンテンツＩＤ１００で検索すると、図２における説明と同様にライセンスＩＤ１０００が検索される。このように、本実施の形態１のコンテンツ起動制御装置１００のライセンス情報確認部２１１は、コンテンツＩＤとライセンスＩＤが多対１であっても動作し、購入済みライセンスを検索することが可能である。ライセンス情報確認部２１１は、検索されたライセンスＩＤを起動リソース選択部２１２に渡す。
【００４９】
図５は、起動リソース情報格納部２２２に格納されている起動リソース情報が記載されたテーブル５００の例を示す参考図である。
【００５０】
このテーブル５００の一行目は、コンテンツＩＤ１００・ライセンスＩＤ１０００のときの起動リソースは「ＡＶ１．ＴＴＳ」であることを示している。この情報の６行目は、コンテンツＩＤ３００・ライセンスＩＤ１０００のときの起動リソースは「ｄｉｇｅｓｔ３−１．ｂｍｌ」であることを示している。
【００５１】
起動リソース選択部２１２は、ライセンスＩＤをライセンス情報確認部２１１から取得し、更にコンテンツＩＤをコンテンツ起動指示受信部２０１またはライセンス情報確認部２１１から取得する。起動リソース選択部２１２が図５における起動リソース情報が記載されたテーブル５００からコンテンツＩＤ１００・ライセンスＩＤ１０００で検索すると、リソース名「ＡＶ１．ＴＴＳ」が検索されることになる。また、コンテンツＩＤ３００・ライセンスＩＤ１０００で検索すると、リソース名「ｄｉｇｅｓｔ３−１．ｂｍｌ」が検索されることになる。起動リソース選択部２１２は、検索されたリソース名をリソース起動部２１３に渡す。なお、本図に示していないが、ライセンスＩＤ１００に対する起動リソースを「ＡＶ１．ＴＴＳ」、ライセンスＩＤ２００に対する起動リソースを「ＡＶ１．ＴＴＳ」とする等、異なるライセンスＩＤに対して同一の起動リソースを対応づけることも可能である。
【００５２】
このように、本実施の形態１に係るコンテンツ起動制御装置１００においては、コンテンツＩＤとリソース名が多対１に構成されているライセンス情報と起動リソース情報を利用することにより、複数コンテンツにおいて同一ライセンスを用いた再生が可能となる。従って、コンテンツ事業者は、既にコンテンツＩＤ１００のコンテンツに対するライセンスＩＤ１０００を購入したユーザ向けのサービスとして、既に存在するＡＶデータであるＡＶ１．ＴＴＳの新たな見方をすることを可能とするコンテンツＩＤ３００のコンテンツを提供することが可能となる。
【００５３】
なお、本実施の形態１の説明においてはリソース名を文字列で表しているが、リソースを識別できる情報であれば、リソース名は文字列であっても数値であっても良い。
【００５４】
また、ライセンス情報格納部２２１と起動リソース情報格納部２２２とコンテンツ格納部２２３がデータを取得する先は、同一の記録媒体の記憶領域でも、異なる記録媒体の記憶領域でもよい。また、それぞれの記憶領域は同一のファイルシステムが管理していても良いし、異なるファイルシステムが管理していても良い。
【００５５】
ここで、記録媒体とは、ＲＡＭ・ＲＯＭ・ＦｌａｓｈＲＯＭ・ＥＥＰＲＯＭ・ハードディスク・メモリカード・ＩＣカード・光ディスク等、書き込み・読み込み可能な記録媒体でも、読込みのみ可能な記録媒体でも良い。また、コンテンツ起動制御装置内に固定されている記録媒体でも、コンテンツ起動制御装置から取り外し可能な記録媒体でも、コンテンツ起動制御装置の外部に存在し、コンテンツ起動制御装置からネットワーク経由で読み込み可能な記録媒体でも良い。
【００５６】
なお、起動リソース選択部２１２は、ライセンス情報確認部２１１からコンテンツＩＤを取得しても良いし、コンテンツ起動指示受信部２０１からコンテンツＩＤを取得しても良い。また、リソース提示部２３１はリソース起動部２１３に含まれていても良い。
【００５７】
図６は、図１のコンテンツ起動制御装置１００においてコンテンツ起動処理の開始から終了までの動作手順を示すフローチャートである。
【００５８】
最初に、コンテンツ起動制御装置１００のコンテンツ起動指示部２０１がコンテンツの起動指示を受信する（Ｓ６０１）。
【００５９】
次に、ライセンス情報確認部２１１は、コンテンツ起動指示部２０１から起動指示を受けたコンテンツのコンテンツＩＤを受信し、ライセンス情報格納部２２１に記録されているライセンス情報を取得する（Ｓ６０２）。
【００６０】
そして、ライセンス情報確認部２１１がライセンス情報から受信したコンテンツＩＤに対応するライセンスが購入済みかどうかを判断する（Ｓ６０３）。ライセンスが購入済みの場合は（Ｓ６０３でＹＥＳ）、ライセンス情報確認部２１１は購入ライセンス情報を用いての購入済ライセンスの中から起動対象ライセンスを選択する（Ｓ６０４）。
【００６１】
一方、ライセンスが購入済みでない場合は（Ｓ６０３でＮＯ）、コンテンツ起動制御装置１００にあらかじめ設定されているリソース名のリソースを起動する（Ｓ６０５）。このリソースはＢＭＬ等の言語で記述されたデータであり、ライセンスを購入するための関数とボタン等のユーザインターフェイスを実現するための記述が含まれ、コンテンツ起動制御装置１００に存在する記憶装置の一部に記録されている。このリソースを起動することにより、ライセンスの購入を促す図７の表示をユーザに対して出力する（Ｓ６０５）。
【００６２】
図７は、ユーザにライセンスの購入を促すための表示画面７００の参考図であり、この画面７００でユーザが「購入画面へ（７０１）」を選択すると、購入画面を表示しユーザはライセンスを購入することができる。また、ユーザはライセンスを購入しないと判断する場合には「購入しない（７０２）」を選択する。
【００６３】
次に、起動リソース選択部２１２は、起動リソース情報格納部２２２に格納されている起動リソース情報を元に、Ｓ６０４において選択した起動対象ライセンスに対応する起動リソースを選択する（Ｓ６０６）。
【００６４】
そして、リソース起動部２１３が、起動リソース選択部２１２が選択した起動リソースを、該リソースに応じた方法で起動し（Ｓ６０７）、コンテンツ起動処理を終了する。例えば、ＭＰＥＧ２形式のリソースのように再生できるコンテンツの場合は、再生指示を行う。
【００６５】
なお、図７に示すウインドウ上に表示する表示画面７００の構成は一例であり、表示するテキスト・ボタン等のオブジェクトの形状・配置・サイズは異なっていても良い。更に、図７に示すウインドウを提示するのはＢＭＬでなくコンテンツ起動制御装置１００に予め組み込まれたアプリケーションでも良い。
【００６６】
図８は、本実施の形態１に係るコンテンツ起動制御装置１００における再生されるコンテンツの参考図である。
【００６７】
本図において、コンテンツ１００は、１つの起動リソース情報と、３つのリソースから構成されている。リソース１はＣＭ入りのＡＶデータである「AV1.tts」、リソース２はＡＶデータのうちＣＭを飛ばしながら再生するダイジェスト視聴を可能とするためのＢＭＬ表記等で記述されたデータである「digest1.bml」、リソース３はＸＭＬ記述のセグメントメタデータである「digest1.xml」となる。
【００６８】
起動リソース情報には、各リソースを再生するために必要なライセンスのＩＤ等のＤＲＭ情報が記録されており、起動リソース選択部２１２は、ライセンス情報として既に取得されているライセンスＩＤに対応するリソースを起動リソースとして選択する。なお、起動リソース情報の記述例は図９において説明する。
【００６９】
本図においては、コンテンツ１００の起動指示を受けた場合に、ライセンス１０００が購入されている場合には、通常の再生であるＣＭ入りのＡＶデータであるリソース１が選択され、ライセンス１００１が購入されている場合には、起動リソースがＢＭＬで記述されたリソース２であり、このリソース２を再生するとリソース３のＸＭＬ記述のセグメントメタデータに従って、ＣＭ入りのＡＶデータであるリソース１を参照しながらＣＭを飛ばしたＡＶデータの再生処理が行われる。
【００７０】
図９は、ネットワークを介して取得するコンテンツ内に記録され、本実施の形態１に係るコンテンツ起動制御装置１００のコンテンツ起動指示時に参照される起動リソース情報９００のデータ記述例を示す参考図である。
【００７１】
この起動リソース情報９００は、例えばＸＭＬ文書にて記述され、ライセンスリストの行において、ライセンス（９０３）に対応するリソース指定（９０４）が記述され、また、リソースリストの行においては、リソース（９０１）に対応する鍵（９０２）が記述される。このように、本実施の形態１に係るコンテンツ起動制御装置１００においては、コンテンツ起動時に、起動リソース情報９００を参照して購入されたライセンスＩＤに対応する起動リソースを起動リソース情報９００から読み出し、このリソースを起動することにより、１つのコンテンツに対する複数のライセンス毎のリソース指定を行うことが可能となる。
【００７２】
なお、本図においては、ライセンスリストの行において、ライセンスを有していない場合（９０５）のデフォルト起動リソース名（９０６）が記述された起動リソース情報も同様に記述されている。このように、ライセンスを有しない場合の起動リソースをコンテンツ内の起動リソース情報９００に記述しておくことにより、該当するライセンスがない場合にはコンテンツ内に記述されたデフォルト起動リソース（９０６）を起動することが可能となる。また、このデフォルト起動リソース（９０６）としては、例えば、購入を促すＢＭＬや、プレビューを表示するＢＭＬ（プレビューに該当するＡＶリソース）等が考えられ、ライセンスが購入されていない場合にこのデフォルト起動リソース（９０６）を指定することにより、提供するサービスの幅を拡大できる。さらに、この際、ライセンスを購入していなくても起動できるコンテンツかどうかを表す情報をコンテンツ情報として付与して送っても良い。この情報によって、コンテンツ起動制御装置１００は、ユーザに再生するコンテンツの選択肢を提示する若しくはしないを制御する事もできる。またさらに、選択肢の付加情報として再生できない旨を提示する若しくはしないを制御する事も可能である。
【００７３】
図１０は、本実施の形態１に係るコンテンツ起動制御装置１００における画面表示の遷移の例を示す参考図である。
【００７４】
最初に、ユーザがコンテンツの再生を行う場合には、図１０（ａ）に示すようにブラウザ画面にホームサーバ等に記録されている動画コンテンツのリンク先が記述されたコンテンツ一覧が表示される。
【００７５】
次に、ユーザがマウス等を用いて再生希望するコンテンツを選択すると、コンテンツ再生専用のソフトウェアが起動して実際のコンテンツの再生が行われる。この際に、コンテンツ起動制御装置１００において、ライセンス情報確認部２１１は、ライセンス情報格納部２２１からコンテンツＩＤに対応するライセンス情報から購入済みのライセンス情報を確認して、起動リソース選択部２１２は、購入済みのライセンスＩＤに対応するコンテンツの起動リソース情報を起動リソース情報格納部２２２より取得して、リソース起動部２１３において選択されたリソースを起動する。
【００７６】
そして、例えば、ユーザがライセンスＡを購入している場合には、ライセンスＡに対して設定されているリソースＡが起動リソースとして最初にリソース起動部２１３において起動され、図１０（ｂ）に示すようなＣＭ入りの試合が再生される。また、ライセンスＢを購入している場合には、ライセンスＢに対して設定されているリソースＢが起動リソースとして最初にリソース起動部２１３において起動され、図１０（ｃ）に示すようなＣＭなしの試合が再生される。更に、コンテンツに対応するライセンスを購入していない場合には、図１０（ｅ）に示す図７のコンテンツ購入を促す画面７００が表示される。
【００７７】
そして、例えば、野球の試合においては、図１０（ｃ）に示すようにユーザのライセンス購入状況に応じて「松井シーン」や「イチローシーン」、「ハイライトシーン」といった選択ボタンが表示され、この選択ボタンから再生を希望するシーンを選択することにより、コンテンツ起動制御装置１００でライセンスが購入されているかを確認し、購入されている場合には起動リソースを選択して起動することにより、図１０（ｄ）に示すように各シーンの再生が開始される。なお、図１０（ｄ）は野球のコンテンツにおいて「松井シーン」を指定するライセンスＣが購入され、このライセンスＣに対応するリソースＣが起動される。
【００７８】
このように、本実施の形態１に係るコンテンツ起動制御装置１００においては、１つのコンテンツＩＤに対応するライセンスＩＤを複数可能とすると共に、ライセンスの購入の有無に関する情報を確認して、購入されている場合にはライセンス毎に起動の対象となるリソースを選択することが可能となる。
【００７９】
なお、本実施の形態１に係るコンテンツ起動制御装置１００において、１つのコンテンツに対して複数のライセンスが購入されている場合においては、そのライセンス毎に対応する選択肢をユーザに提示して選択させる、より高価なライセンスを自動的に選択して再生開始する等が可能である。例えば、本図において、ユーザが既に野球コンテンツに対して「ＣＭなし」のライセンスと、「松井シーン」のライセンスを購入していた場合には、最初に高価な「ＣＭなし」のライセンスに対応する起動リソースを起動して再生を開始、若しくはユーザにどちらかを選択するかの選択画面を表示することが考えられる。
【００８０】
図１１は、本発明のコンテンツ起動制御装置１１０２と他の機器との接続例を示す参考図である。
【００８１】
コンテンツ起動制御装置１１０２は、ユーザが操作するリモコン１１０１の信号の受信が可能であり、コンテンツ起動制御装置１１０２の映像・音声出力とディスプレイ１１０３は映像・音声出力を伝達できるケーブルによって接続されている。ディスプレイ１１０３は、コンテンツ起動制御装置１１０２からの映像・音声出力を表示する。コンテンツ起動制御装置１１０２は、更にインターネット１１０４に接続されており、ユーザのリモコン１１０１の操作による信号の受信等をトリガーにしてライセンス情報、起動リソース情報、コンテンツ、ライセンスをサーバからインターネットを介して取得することが可能である。
【００８２】
図１２は、本発明のコンテンツ起動制御装置１２１３と他の機器との接続例を示す参考図である。
【００８３】
ユーザは、携帯端末１２１１からインターネット上の中継装置を介してホームサーバ１２１２にアクセスする。携帯端末１２１１がインターネットに接続する部は無線でも良いし有線でも良い。ホームサーバ１２１２は、ユーザのアクセスによる指示を受けてコンテンツ起動制御装置１２１３にコンテンツ起動指示を出すことができる。コンテンツ起動制御装置１２１３は、ホームサーバ１２１２からの指示のコンテンツを起動し、ホームサーバに出力する。ホームサーバ１２１２は、コンテンツ起動制御装置１２１３からの出力をホームサーバ１２１２の記憶領域に蓄積又は／及びＴＶ１２１４に出力することが出来る。コンテンツ起動制御装置１２１３は、アンテナ１２１５に接続されており、放送を介してライセンス情報、起動リソース情報、コンテンツ、ライセンスのいずれか、または全てを取得することが可能である。
【００８４】
図１３は、本発明のコンテンツ起動制御装置を実施可能なハードウェア構成の例を示す参考図である。
【００８５】
本発明が実施可能なハードウェアは、ＣＰＵ１３１４と、ＲＡＭ１３１３と、ＲＯＭ１３１２と、ハードディスク１３１１と、信号受信部１３１５と、通信部１３１７と、チューナ１３０１と、ＴＳデコーダ１３０２と、ＡＶデコーダ１３０３と、ＯＳＤ１３１８とを備えている。なお、図１３のハードウェア構成は１つの例であり、ＴＳデコーダやＡＶデコーダやＯＳＤはソフトウェアにより実現しても良い。また、本発明の実施１のコンテンツ起動制御装置においては、図１３のハードウェア構成のすべての要素が必要ではない。
【００８６】
以上のように、本実施の形態１に係るコンテンツ起動制御装置１００によれば、１つのコンテンツに対して割り当てられる複数のライセンスと、各ライセンスに対応した起動リソース情報を利用することによって、起動リソース選択部２１２は、コンテンツ再生時に最初に起動対象となる起動リソースをユーザが購入したライセンスの種類に応じて選択することが可能となる。従って、コンテンツ提供者は１つのコンテンツに対して複数のライセンスをユーザに提供して、同一コンテンツの様々な視聴形態を手軽に提供できる。
【００８７】
また、本実施の形態１に係るコンテンツ起動制御装置１００においては、各ライセンスに対応した複数の視聴形態に対して物理的にはコンテンツを共有するので、１つのライセンスに対して１つのコンテンツが割り当てられる場合と比較してコンテンツ格納部２２３に記録されるコンテンツの蓄積容量が削減できる。
【００８８】
また、起動リソース情報格納部２２２に格納されているライセンスと起動リソースの情報が記録された起動リソース情報は、コンテンツのリソースとは別のデータとして存在するため、元々のコンテンツを変更することなく、起動リソース情報を変更することにより後付けでのライセンス追加が容易に可能となる。このため、ライセンスのバージョンアップが容易に可能となり、ユーザがライセンス差額をコンテンツ提供者に払うことにより、異なる視聴形態が可能なライセンスにバージョンアップできるサービスが可能となる。
【００８９】
（実施の形態２）
以下、本発明に係るコンテンツ起動制御装置の第二の実施の形態について説明を行う。
【００９０】
なお、本実施の形態２に係るコンテンツ起動制御装置は、コンテンツに含まれるリソースが暗号化されており、起動リソースの起動時に、ライセンスに含まれる鍵を用いて復号化することを特徴とする。
【００９１】
図１４は、本発明の実施の形態２に係るコンテンツ起動制御装置１４００の機能ブロック図である。なお、図１４において、図１と同じ構成要素については同じ符号を用い、説明を省略する。
【００９２】
本実施の形態２に係るコンテンツ起動制御装置１４００は、上述した実施の形態１の構成に加えて、受信部１４０２、ライセンス格納部１４０３、ＤＲＭクライアント１４０４、及び復号化部１４０５を備える。
【００９３】
受信部１４０２は、ライセンス情報のうち購入有無情報以外の情報、起動リソース情報、コンテンツ、ライセンスのいずれか、または全てをインターネット等の双方向ネットワーク１４０１を介してサーバから取得し、ライセンス情報のうち購入有無情報以外の情報はライセンス情報格納部２２１に、起動リソース情報は起動リソース情報格納部２２２に、コンテンツはコンテンツ格納部２２３に、ライセンスはライセンス格納部１４０３に渡す。なお、各格納部は取得したデータを記憶領域に書き込む。ライセンス情報の購入有無情報は、ユーザによるライセンスを購入時、ライセンス期限の終了時等の時期に更新される。
【００９４】
ＤＲＭクライアント１４０４は、ライセンス格納部１４０３からライセンスＩＤに対応するライセンスを取得し、ライセンスに含まれる鍵を復号化部１４０５に送る。
【００９５】
復号化部１４０５は、ＤＲＭクライアント１４０４からライセンスＩＤに対応するライセンスに含まれる鍵を取得し、その鍵を用いて暗号化されたリソースを復号化する。リソース提示部２３１は復号化部１４０５によって復号化されたリソースを再生する。
【００９６】
なお、ライセンス情報格納部２２１と起動リソース情報格納部２２２とコンテンツ格納部２２３とライセンス格納部１４０３とがデータを書き込む記録媒体は、同一の記録媒体の記憶領域でも、異なる記録媒体の記憶領域でもよい。また、それぞれの記憶領域は同一のファイルシステムが管理していても良いし、異なるファイルシステムが管理していても良い。
【００９７】
ここで、記録媒体とは、ＲＡＭ・ＦｌａｓｈＲＯＭ・ＥＥＰＲＯＭ・ハードディスク・メモリカード・ＩＣカード・書き込み可能な光ディスク等、書き込み又は／及び読み込み可能な記録媒体である。また、コンテンツ起動制御装置内に固定されている記録媒体でも、コンテンツ起動制御装置から取り外し可能な記録媒体でも、コンテンツ起動制御装置の外部に存在し、コンテンツ起動制御装置から読み込み可能な記録媒体でも良い。
【００９８】
図１５は、本実施の形態２に係るコンテンツ起動制御装置１４００において再生されるコンテンツの一例の参考図である。
【００９９】
本図において、コンテンツ１５０１は、１つの起動リソース情報と、２つのリソースから構成されている。リソース１は鍵Ａを用いて暗号化され、リソース２は鍵Ｂを用いて暗号化されている。
【０１００】
本実施の形態２において、コンテンツ１５０１内に記録されている起動リソース情報には、各リソースを再生するために必要なライセンスＩＤ、鍵情報等のＤＲＭ情報が記録されており、ライセンス情報として既に取得されているライセンスＩＤに対応するリソースを起動リソースとして選択する。また、復号化部１４０５は、起動リソースを起動する場合には購入済みのライセンスに記録されている鍵を取得する。
【０１０１】
そして、コンテンツ１５０１の起動指示を受け、ライセンス１０００が購入されている場合には、リソース１が選択され、復号化部１４０５は、ライセンス１０００に記録されている鍵Ａを用いてリソース１を復号化した後にリソース提示部２３１に渡し、ライセンス１００１が購入されている場合には、起動リソースとしてリソース２が選択され、復号化部１４０５は、ライセンス１００１に記録されている鍵Ｂを用いてリソース２を復号化した後にリソース提示部２３１に渡す処理を行う。
【０１０２】
以上のように、本実施の形態２に係るコンテンツ起動制御装置１４００は、最初に起動対象となる起動するリソースが暗号化される場合においても、復号化部１４０５は、選択したライセンスに含まれる鍵を利用してリソースを復号化することが可能となる。
【０１０３】
また、上述の実施の形態１に係るコンテンツ起動制御装置と同様に、ライセンス情報、起動リソース情報、コンテンツ、ライセンスの削除を行うことができ、更に、ネットワークを介してライセンス情報、起動リソース情報、コンテンツ、ライセンスの更新・追加を行うことが可能となる。
【０１０４】
次に、本実施の形態２に係るコンテンツ起動制御装置において、図１４のネットワーク１４０１が放送である場合にライセンス情報及び起動リソース情報を取得する場合について説明する。
【０１０５】
受信部１４０２は、通常のデジタル放送受信機と同様に、チューナ、トランスポートストリームデコーダ、およびＡＶデコーダ等から構成される。受信部１４０２は放送を介してトランスポートストリームを取得し、トランスポートストリーム中の、プログラム仕様情報（ＰＳＩ）又はＤＳＭ−ＣＣデータカルーセルによって伝送されるモジュールを取得し、ＰＳＩ又はモジュールの中にライセンス情報のうち購入有無情報以外の情報又は／及び起動リソース情報が存在する場合、それを取得することができる。
【０１０６】
また、コンテンツのデータはトランスポートストリーム中のカルーセルにより伝送されたモジュールを受信部１４０２が受信することによって取得することが可能である。放送局が、同一のチャンネルにおいて、購入有無情報以外のライセンス情報又は／及び起動リソース情報と、コンテンツを放送することにより、コンテンツ起動制御装置は当該チャンネルを視聴することにより、同時期にコンテンツと、コンテンツに対応した購入有無情報以外のライセンス情報又は／及び起動リソース情報を取得することが可能となる。
【０１０７】
そして、このプログラム仕様情報（ＰＳＩ）はトランスポートストリームに多重化された複数のプログラムストリームの情報を保持するものであり、ＩＳＯ／ＩＥＣ１３８１８−１に定義されている。ＤＳＭ−ＣＣデータカルーセルはデジタル放送等において利用されるデータ転送の方式であり、ＩＳＯ／ＩＥＣ１３８１８−６に定義されている。
【０１０８】
なお、上述の実施の形態の一部においては、ネットワークを介してコンテンツ起動制御装置はライセンス情報、起動リソース情報、コンテンツ、ライセンスを取得しているが、ネットワークとはＢＳ・ＣＳ・地上波等の放送波による放送、ＣＡＴＶ、イントラネット、ローカルエリアネットワーク等のネットワークを含む。
【０１０９】
また、ライセンス情報、起動リソース情報、コンテンツ、ライセンスの送受信に用いる技術としてＩＰマルチキャストを用いても良い。ＩＰマルチキャストはネットワーク中の機器によってパケットをコピーし、複数の機器に配信する技術である。また、前記ネットワークを複数種類組み合わせてライセンス情報、起動リソース情報、コンテンツ、ライセンスを取得しても良い。例えば、インターネットを介してサーバへライセンス情報取得のためのリクエストを送信し、ライセンス情報はＣＳ放送より取得しても良い。
【０１１０】
そして、上述の各実施の形態において、コンテンツ起動制御装置は、携帯電話等の携帯型電子機器、光ディスクプレーヤ等の家庭用ＡＶ機器、リモコン等の家庭用ＡＶ機器の周辺機器、家庭用ゲーム機、パソコン、プリンタ等のパソコンの周辺機器、電子レンジ、冷蔵庫等の家庭用電化機器の一部として実装されていても良い。
【０１１１】
また、上述の各実施の形態において、各構成要素はコンテンツ起動制御装置内に配置されているが、構成要素の一部がコンテンツ起動制御装置外に配置され、ネットワークを介して各構成要素を接続しても良い。また、構成要素から構成要素へのアクセスはオペレーティングシステムを介して行っても良い。
【０１１２】
更に、上述の各実施の形態において、機能のまとまりごとに構成要素を分割しているが、これらの複数の構成要素をそれぞれの構成要素の機能が複合した機能をもつ１つの構成要素にまとめても良い。例えば、コンテンツ起動指示受信部２０１とライセンス情報確認部２２２を別の構成要素として表しているが、コンテンツ起動指示受信部２０１及びライセンス情報確認部２２２の代わりに、コンテンツ起動指示受信部とライセンス情報確認部の機能を併せ持つ１つの構成要素として存在しても良い。
【０１１３】
なお、ネットワークとは、有線である場合はもちろん無線である場合も含む。「ネットワークを介して取得する」とは、１対１の通信だけでなく、１対多の放送・ＩＰマルチキャストも含む。
【０１１４】
また、コンテンツはＭＰＥＧ２、ＭＰＥＧ４等の映像情報・ＡＡＣ（Ａｄｖａｎｃｅｄ
Ａｕｄｉｏ  Ｃｏｄｉｎｇ）等の音声情報・ＨＴＭＬ（ＨｙｐｅｒＴｅｘｔ  Ｍａｒｋｕｐ  Ｌａｎｇｕａｇｅ）、ＢＭＬ（Ｂｒｏａｄｃａｓｔ  Ｍａｒｋｕｐ  Ｌａｎｇｕａｇｅ）等の構造記述型言語記述データ・ＪＰＥＧ（Ｊｏｉｎｔ  Ｐｈｏｔｏｇｒａｐｈｉｃ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）等の画像情報、ＥｃｍａＳｃｒｉｐｔ等のスクリプト、メタデータ等の単体またはそれらの組み合わせにより構成されたものでも良い。
【０１１５】
更に、上記した各実施の形態は、記憶装置（ＲＯＭ、ＲＡＭ、ハードディスク等）に格納された上述した処理手順を実行可能な所定のプログラムデータが、ＣＰＵによって解釈実行されることで実現される。この場合、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカード等の記録媒体をいう。また、記録媒体は、電話回線や搬送路等の通信媒体も含む概念である。
【０１１６】
なお、図１６に示すようにコンテンツ起動指示受信部２０１、ライセンス情報確認部２１１、起動リソース選択部２１２、リソース起動部２１３、リソース提示部２３１等の各機能ブロックは典型的には集積回路であるＬＳＩ１６０１として実現されても良い。これらは個別に１チップ化されても良いし、一部又は全てを含むように１チップ化されても良い。ここでは、ＬＳＩ１６０１としたが、集積度の違いにより、ＩＣ、システムＬＳＩ、スーパーＬＳＩ、ウルトラＬＳＩと呼称されることもある。
【０１１７】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１１８】
更には、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０１１９】
本発明にかかるコンテンツ起動制御装置は、ライセンスに応じたコンテンツ起動機能を有し、例えば、テレビ、ホームサーバ、メディアレコーダ等の家庭用ＡＶ機器の機能として有用である。また、携帯型電子機器、家庭用ＡＶ機器の周辺機器、家庭用ゲーム機、パソコン、パソコンの周辺機器、家庭用電化機器等の機能としても応用できる。
【図面の簡単な説明】
【０１２０】
【図１】図１は、実施の形態１におけるコンテンツ起動制御装置の機能ブロック図
【図２】図２は、ライセンス情報格納部に格納されているライセンス情報が記載されたテーブルの例を示す参考図
【図３】図３は、起動リソース情報格納部に格納されている起動リソース情報が記載されたテーブルの例を示す参考図
【図４】図４は、ライセンス情報格納部に格納されているライセンス情報が記載されたテーブルの例を示す参考図
【図５】図５は、起動リソース情報格納部に格納されている起動リソース情報が記載されたテーブルの例を示す参考図
【図６】図６は、図１のコンテンツ起動制御装置においてコンテンツ起動処理の開始から終了までの動作手順を示すフローチャート
【図７】図７は、ユーザにライセンスの購入を促すための表示画面の参考図
【図８】図８は、実施の形態１に係るコンテンツ起動制御装置における再生されるコンテンツの参考図
【図９】図９は、実施の形態１に係るコンテンツ起動制御装置のコンテンツ起動指示時に参照される起動リソース情報のデータ記述例を示す参考図
【図１０】図１０は、実施の形態１に係るコンテンツ起動制御装置における画面表示の遷移の例を示す参考図
【図１１】図１１は、本発明のコンテンツ起動制御装置と他の機器との接続例を示す参考図
【図１２】図１２は、本発明のコンテンツ起動制御装置と他の機器との接続例を示す参考図
【図１３】図１３は、本発明のコンテンツ起動制御装置を実施可能なハードウェア構成の例を示す参考図
【図１４】図１４は、実施の形態２に係るコンテンツ起動制御装置の機能ブロック図
【図１５】図１５は、実施の形態２に係るコンテンツ起動制御装置において再生されるコンテンツの一例の参考図
【図１６】図１６は、ＬＳＩを用いて本発明に係るコンテンツ起動制御装置を実現する場合の参考図
【図１７】図１７は、従来の技術におけるコンテンツの再生時の説明図
【図１８】図１８は、従来の技術におけるコンテンツの再生時の説明図
【図１９】図１９は、複数のコンテンツがリソースを共有する場合のコンテンツの再生時の説明図
【符号の説明】
【０１２１】
１００，１４００，１６００  コンテンツ起動制御装置
２０１  コンテンツ起動指示受信部
２１１  ライセンス情報確認部
２１２  起動リソース選択部
２１３  リソース起動部
２２１  ライセンス情報格納部
２２２  起動リソース情報格納部
２２３  コンテンツ格納部
２３１  リソース提示部
１１０１  リモコン
１１０２  コンテンツ起動制御装置
１１０３  ディスプレイ
１１０４  インターネット
１２１１  携帯端末
１２１２  ホームサーバ
１２１３  コンテンツ起動制御装置
１２１４  ＴＶ
１２１５  アンテナ
１４０１  ネットワーク
１４０２  受信部
１４０３  ライセンス格納部
１４０４  ＤＲＭクライアント
１４０５  復号化部
１６０１  ＬＳＩ
【手続補正３】
【補正対象書類名】図面
【補正対象項目名】全図
【補正方法】変更
【補正の内容】
【図１】
2006022304.tif 000021
【図２】
2006022304.tif 000022
【図３】
2006022304.tif 000023
【図４】
2006022304.tif 000024
【図５】
2006022304.tif 000025
【図６】
2006022304.tif 000026
【図７】
2006022304.tif 000027
【図８】
2006022304.tif 000028
【図９】
2006022304.tif 000029
【図１０】
2006022304.tif 000030
【図１１】
2006022304.tif 000031
【図１２】
2006022304.tif 000032
【図１３】
2006022304.tif 000033
【図１４】
2006022304.tif 000034
【図１５】
2006022304.tif 000035
【図１６】
2006022304.tif 000036
【図１７】
2006022304.tif 000037
【図１８】
2006022304.tif 000038
【図１９】
2006022304.tif 000039
【国際調査報告】
2006022304.tif 000040
2006022304.tif 000041
2006022304.tif 000042
2006022304.tif 000043